(57)【要約】  本開示は、上り電力制御方法、端末及びネットワーク機器を提供し、通信分野に係り、コードブック又はノンコードブックの上りマルチアンテナ伝送の場合に端末が最大送信電力を達成できないという従来技術の問題を解決する。該方法において、上りプリコーディング指示を取得することと、上りプリコーディング指示が目標プリコーディング指示に対応する場合、電力制御プロセスで特定される上り送信電力の値が不変であるように制御することとを含む。本開示の手段によれば、一部のプリコーディング指示で最大上り送信電力を達成できることを保証し、上り伝送のカバレッジを向上させることができ、且つ端末の全てのアンテナが最大送信電力を達成できることが求められないため、コストが低減される。【選択図】  図１
2021524193.tif 000002
【特許請求の範囲】
【請求項１】
端末に応用される上り電力制御方法であって、
上りプリコーディング指示を取得することと、
前記上りプリコーディング指示が目標プリコーディング指示に対応する場合、電力制御プロセスで特定される上り送信電力の値が不変であるように制御することとを含む、上り電力制御方法。
【請求項２】
前記の電力制御プロセスで特定される上り送信電力の値が不変であるように制御することは、
電力制御プロセスで特定される上り送信電力をスケーリングしないこと、又は、電力制御プロセスで特定される上り送信電力を電力スケーリング因子１でスケーリングすることを含む、請求項１に記載の方法。
【請求項３】
前記の上りプリコーディング指示を取得することの後に、
前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳ（Ｓｏｕｎｄｉｎｇ  Ｒｅｆｅｒｅｎｃｅ  Ｓｉｇｎａｌ）リソース数に基づいて、電力制御プロセスで特定される上り送信電力をスケーリングすることを更に含む、請求項１に記載の方法。
【請求項４】
前記の上りプリコーディング指示を取得することの後に、
前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングすることを更に含む、請求項１に記載の方法。
【請求項５】
前記目標プリコーディング指示は、目標コードワードに対応するＴＰＭＩ（Ｔｒａｎｓｍｉｔ  Ｐｒｅｃｏｄｉｎｇ  Ｍａｔｒｉｘ  Ｉｎｄｉｃａｔｏｒ）及び／又は目標コードワードに対応するＴＲＩ（Ｔｒａｎｓｍｉｔ  Ｒａｎｋ  Ｉｎｄｉｃａｔｉｏｎ）を含む、請求項１に記載の方法。
【請求項６】
前記目標コードワードは、目標アンテナポートのみで非ゼロ値を有するコードワードを含む、請求項５に記載の方法。
【請求項７】
前記目標アンテナポートは、最も小さいインデックスのアンテナポートを含む、請求項６に記載の方法。
【請求項８】
前記目標プリコーディング指示は、目標ＳＲＳリソースを指示するＳＲＩ（ＳＲＳ  ｒｅｓｏｕｒｃｅ  ｉｎｄｉｃａｔｏｒ）を含む、請求項１に記載の方法。
【請求項９】
前記目標ＳＲＳリソースは、最も小さいインデックスのＳＲＳリソースを含む、請求項８に記載の方法。
【請求項１０】
前記目標プリコーディング指示は、シングルストリーム伝送時のプリコーディング指示を含む、請求項５又は８に記載の方法。
【請求項１１】
前記目標プリコーディング指示は、予め定義されたプリコーディング指示であり、又は、前記目標プリコーディング指示は、ネットワーク機器から送信される前記目標プリコーディング指示の指示情報に基づいて得られ、
ネットワーク機器から送信される前記目標プリコーディング指示の指示情報を受信し、前記指示情報に基づいて前記目標プリコーディング指示を取得することを更に含む、請求項１に記載の方法。
【請求項１２】
前記目標プリコーディング指示に基づいて、物理アンテナとアンテナポートとの間のマッピング関係を特定することと、
前記マッピング関係に基づいて上り参照信号を送信することとを更に含む、請求項１１に記載の方法。
【請求項１３】
ネットワーク機器によって端末に設定するアンテナポートの数に基づいて、電力制御プロセスで特定される上り送信電力をスケーリングすることは、
前記プリコーディング指示と、ネットワーク機器によって端末に設定する前記端末のＰＵＳＣＨ（Ｐｈｙｓｉｃａｌ  Ｕｐｌｉｎｋ  Ｓｈａｒｅｄ  Ｃｈａｎｎｅｌ）の上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得することと、
電力制御プロセスで特定される上り送信電力を前記第１比でスケーリングすることとを含む、請求項３又は４に記載の方法。
【請求項１４】
ネットワーク機器によって端末に設定するアンテナポートの数に基づいて、電力制御プロセスで特定される上り送信電力をスケーリングすることは、
端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得することと、
電力制御プロセスで特定される上り送信電力を前記第２比でスケーリングすることとを含む、請求項３又は４に記載の方法。
【請求項１５】
ネットワーク機器によって端末に設定する上りサウンディング信号ＳＲＳリソース数に基づいて、電力制御プロセスで特定される上り送信電力をスケーリングすることは、
ＳＲＩで指示されるＳＲＳリソース数と、ネットワーク機器によって端末に設定する前記端末のＰＵＳＣＨの上り伝送モードに対応するＳＲＳリソース数との第３比を取得することと、
電力制御プロセスで特定される上り送信電力を前記第３比でスケーリングすることとを含む、請求項３又は４に記載の方法。
【請求項１６】
ネットワーク機器から送信されるコードブックサブセット制限情報を受信することと、
前記コードブックサブセット制限情報に基づいて、前記上りプリコーディング指示が目標プリコーディング指示に対応するか否かを特定することとを更に含む、請求項１〜１５のいずれか一項に記載の方法。
【請求項１７】
異なる伝送モードでは異なる目標プリコーディング指示に対応する、請求項１〜１６のいずれか一項に記載の方法。
【請求項１８】
上りプリコーディング指示を取得する取得モジュールと、
前記上りプリコーディング指示が目標プリコーディング指示に対応する場合、電力制御プロセスで特定される上り送信電力の値が不変であるように制御する制御モジュールとを含む、端末。
【請求項１９】
トランシーバと、メモリと、プロセッサと、前記メモリに記憶されて前記プロセッサで動作可能なコンピュータプログラムを含む端末であって、
前記トランシーバは、上りプリコーディング指示を取得し、
前記プロセッサは、メモリからプログラムを読み取ることによって、前記上りプリコーディング指示が目標プリコーディング指示に対応する場合、電力制御プロセスで特定される上り送信電力の値が不変であるように制御するプロセスを実行する、端末。
【請求項２０】
前記プロセッサは、具体的には、電力制御プロセスで特定される上り送信電力をスケーリングせず、又は、電力制御プロセスで特定される上り送信電力を電力スケーリング因子１でスケーリングする、請求項１９に記載の端末。
【請求項２１】
前記プロセッサは、更に、前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする、請求項１９に記載の端末。
【請求項２２】
前記プロセッサは、更に、前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする、請求項１９に記載の端末。
【請求項２３】
前記目標プリコーディング指示は、目標コードワードに対応するＴＰＭＩ及び／又は目標コードワードに対応するＴＲＩを含む、請求項１９に記載の端末。
【請求項２４】
前記目標コードワードは、目標アンテナポートのみで非ゼロ値を有するコードワードを含む、請求項２３に記載の端末。
【請求項２５】
前記目標アンテナポートは、最も小さいインデックスのアンテナポートを含む、請求項２４に記載の端末。
【請求項２６】
前記目標プリコーディング指示は、目標ＳＲＳリソースを指示するＳＲＩを含む、請求項１９に記載の端末。
【請求項２７】
前記目標ＳＲＳリソースは、最も小さいインデックスのＳＲＳリソースを含む、請求項２６に記載の端末。
【請求項２８】
前記目標プリコーディング指示は、シングルストリーム伝送時のプリコーディング指示を含む、請求項２３又は２６に記載の端末。
【請求項２９】
前記目標プリコーディング指示は、予め定義されたプリコーディング指示であり、又は、前記目標プリコーディング指示は、ネットワーク機器から送信される前記目標プリコーディング指示の指示情報に基づいて得られ、
前記トランシーバは、更に、ネットワーク機器から送信される前記目標プリコーディング指示の指示情報を受信し、
前記プロセッサは、前記指示情報に基づいて前記目標プリコーディング指示を取得する、請求項１９に記載の端末。
【請求項３０】
前記プロセッサは、更に、前記目標プリコーディング指示に基づいて、物理アンテナとアンテナポートとの間のマッピング関係を特定し、
前記トランシーバは、前記マッピング関係に基づいて上り参照信号を送信する、請求項２９に記載の端末。
【請求項３１】
前記プロセッサは、ネットワーク機器によって端末に設定するアンテナポートの数に基づいて、電力制御プロセスで特定される上り送信電力をスケーリングする場合、具体的には、
前記プリコーディング指示と、ネットワーク機器によって端末に設定する前記端末のＰＵＳＣＨの上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得し、電力制御プロセスで特定される上り送信電力を前記第１比でスケーリングする、請求項２１又は２２に記載の端末。
【請求項３２】
前記プロセッサは、ネットワーク機器によって端末に設定するアンテナポートの数に基づいて、電力制御プロセスで特定される上り送信電力をスケーリングする場合、
端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得し、電力制御プロセスで特定される上り送信電力を前記第２比でスケーリングする、請求項２１又は２２に記載の端末。
【請求項３３】
前記プロセッサは、ネットワーク機器によって端末に設定する上りサウンディング信号ＳＲＳリソース数に基づいて、電力制御プロセスで特定される上り送信電力をスケーリングする場合、
ＳＲＩで指示されるＳＲＳリソース数と、ネットワーク機器によって端末に設定する前記端末のＰＵＳＣＨの上り伝送モードに対応するＳＲＳリソース数との第３比を取得し、電力制御プロセスで特定される上り送信電力を前記第３比でスケーリングする、請求項２１又は２２に記載の端末。
【請求項３４】
前記トランシーバは、更に、ネットワーク機器から送信されるコードブックサブセット制限情報を受信し、
前記プロセッサは、更に、前記コードブックサブセット制限情報に基づいて、前記上りプリコーディング指示が目標プリコーディング指示に対応するか否かを特定する、請求項１９〜３３のいずれか一項に記載の端末。
【請求項３５】
異なる伝送モードでは異なる目標プリコーディング指示に対応する、請求項１９〜３４のいずれか一項に記載の端末。
【請求項３６】
コンピュータプログラムが記憶されているコンピュータ読み取り可能な記憶媒体であって、
該プログラムがプロセッサによって実行されると、請求項１〜１７のいずれか一項に記載の上り電力制御方法が実現される、コンピュータ読み取り可能な記憶媒体。
【請求項３７】
ネットワーク機器に応用される上り電力制御方法であって、
端末の上りプリコーディング指示を特定するための送信電力仮定を特定することと、
前記送信電力仮定に基づいて、前記端末の上りプリコーディング指示を特定することと、
前記上りプリコーディング指示を前記端末に送信することとを含む、上り電力制御方法。
【請求項３８】
前記の端末の上りプリコーディング指示を特定するための送信電力仮定を特定することは、
仮定の端末のコヒーレント伝送能力及び上り伝送モードを特定することと、
前記仮定の端末のコヒーレント伝送能力及び／又は前記上り伝送モードに基づいて、前記端末の上りプリコーディング指示を特定するための送信電力仮定を特定することとを含む、請求項３７に記載の方法。
【請求項３９】
前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である、請求項３８に記載の方法。
【請求項４０】
前記の前記仮定の端末のコヒーレント伝送能力及び／又は前記上り伝送モードに基づいて、前記端末の上りプリコーディング指示を特定するための送信電力仮定を特定することは、
前記上り伝送モードにおいて第１目標プリコーディングが存在する場合、前記第１目標プリコーディングに対応する送信電力仮定として、電力制御プロセスで特定される上り送信電力の値が不変であるように前記端末は制御することであると特定することを含む、請求項３８に記載の方法。
【請求項４１】
前記の前記仮定の端末のコヒーレント伝送能力及び／又は前記上り伝送モードに基づいて、前記端末の上りプリコーディング指示を特定するための送信電力仮定を特定することは、
前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定することを更に含む、請求項４０に記載の方法。
【請求項４２】
前記の前記仮定の端末のコヒーレント伝送能力及び／又は前記上り伝送モードに基づいて、前記端末の上りプリコーディング指示を特定するための送信電力仮定を特定することは、
前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定すること、及び／又は、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定することを含む、請求項３８に記載の方法。
【請求項４３】
前記上り伝送モードがノンコードブック上り伝送であり、前記仮定の端末のコヒーレント伝送能力が非コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定することを更に含む、請求項４２に記載の方法。
【請求項４４】
前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
第３目標プリコーディング以外の第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定することを更に含む、請求項４２に記載の方法。
【請求項４５】
前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
前記第３目標プリコーディング以外のシングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定することを更に含む、請求項４２に記載の方法。
【請求項４６】
前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定することを含む、請求項３８に記載の方法。
【請求項４７】
前記上り伝送モードがノンコードブック上り伝送であり、前記仮定の端末のコヒーレント伝送能力が完全コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
任意のプリコーディングに対応する送信電力仮定として、電力制御プロセスで特定される上り送信電力の値が不変であるように前記端末は制御することであると特定することを含む、請求項３８に記載の方法。
【請求項４８】
前記第１目標プリコーディングを指示するための指示情報を前記端末に送信することを更に含む、請求項４０に記載の方法。
【請求項４９】
前記第２目標プリコーディング及び／又は前記第３目標プリコーディングを指示するための指示情報を前記端末に送信することを更に含む、請求項４２に記載の方法。
【請求項５０】
端末の上りプリコーディング指示を特定するための送信電力仮定を特定する第１特定モジュールと、
前記送信電力仮定に基づいて、前記端末の上りプリコーディング指示を特定する第２特定モジュールと、
前記上りプリコーディング指示を前記端末に送信する第１送信モジュールとを含む、ネットワーク機器。
【請求項５１】
トランシーバと、メモリと、プロセッサと、前記メモリに記憶されて前記プロセッサで動作可能なコンピュータプログラムを含むネットワーク機器であって、
前記プロセッサは、メモリからプログラムを読み取ることによって、端末の上りプリコーディング指示を特定するための送信電力仮定を特定するプロセスと、前記送信電力仮定に基づいて、前記端末の上りプリコーディング指示を特定するプロセスとを実行し、
前記トランシーバは、前記上りプリコーディング指示を前記端末に送信する、ネットワーク機器。
【請求項５２】
前記プロセッサは、更に、仮定の端末のコヒーレント伝送能力及び上り伝送モードを特定し、前記仮定の端末のコヒーレント伝送能力及び／又は前記上り伝送モードに基づいて、前記端末の上りプリコーディング指示を特定するための送信電力仮定を特定する、請求項５１に記載のネットワーク機器。
【請求項５３】
前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である、請求項５２に記載のネットワーク機器。
【請求項５４】
前記プロセッサは、更に、前記上り伝送モードにおいて第１目標プリコーディングが存在する場合、前記第１目標プリコーディングに対応する送信電力仮定として、電力制御プロセスで特定される上り送信電力の値が不変であるように前記端末は制御することであると特定する、請求項５２に記載のネットワーク機器。
【請求項５５】
前記プロセッサは、更に、前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定する、請求項５４に記載のネットワーク機器。
【請求項５６】
前記プロセッサは、更に、前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定し、及び／又は、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定する、請求項５２に記載のネットワーク機器。
【請求項５７】
前記上り伝送モードがノンコードブック上り伝送であり、前記仮定の端末のコヒーレント伝送能力が非コヒーレント伝送であり、
前記プロセッサは、更に、
前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する、請求項５６に記載のネットワーク機器。
【請求項５８】
前記上り伝送モードがノンコードブック上り伝送であり、前記仮定の端末のコヒーレント伝送能力が部分コヒーレント伝送であり、
前記プロセッサは、更に、
第３目標プリコーディング以外の第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する、請求項５６に記載のネットワーク機器。
【請求項５９】
前記上り伝送モードがノンコードブック上り伝送であり、前記仮定の端末のコヒーレント伝送能力が部分コヒーレント伝送であり、
前記プロセッサは、更に、
前記第３目標プリコーディング以外のシングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する、請求項５６に記載のネットワーク機器。
【請求項６０】
前記上り伝送モードがノンコードブック上り伝送であり、前記仮定の端末のコヒーレント伝送能力が部分コヒーレント伝送であり、
前記プロセッサは、更に、
シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する、請求項５２に記載のネットワーク機器。
【請求項６１】
前記上り伝送モードがノンコードブック上り伝送であり、前記仮定の端末のコヒーレント伝送能力が完全コヒーレント伝送であり、
前記プロセッサは、更に、
任意のプリコーディングに対応する送信電力仮定として、電力制御プロセスで特定される上り送信電力の値が不変であるように前記端末は制御することであると特定する、請求項５２に記載のネットワーク機器。
【請求項６２】
前記トランシーバは、更に、前記第１目標プリコーディングを指示するための指示情報を前記端末に送信する、請求項５４に記載のネットワーク機器。
【請求項６３】
前記トランシーバは、更に、前記第２目標プリコーディング及び／又は前記第３目標プリコーディングを指示するための指示情報を前記端末に送信する、請求項５６に記載のネットワーク機器。
【請求項６４】
コンピュータプログラムが記憶されているコンピュータ読み取り可能な記憶媒体であって、
該プログラムがプロセッサによって実行されると、請求項３７〜４９のいずれか一項に記載の上り電力制御方法が実現される、コンピュータ読み取り可能な記憶媒体。
【発明の詳細な説明】
【技術分野】
【０００１】
本願は、２０１８年５月１１日に中国特許庁に提出された中国特許出願２０１８１０４５０７０３．２の優先権を主張し、その全ての内容が援用によりここに取り込まれる。
本開示は、通信分野に係り、特に上り電力制御方法、端末及びネットワーク機器に係る。
【背景技術】
【０００２】
一部の通信システムにおいて、端末は、電力制御プロセス（電力制御と略称してよい）に基づいて上り送信電力を算出し、その後、該上り送信電力を一定の電力制御方法で比例的にスケーリングしてから上り伝送に使用する。例えば、ＬＴＥ（登録商標）（Ｌｏｎｇ  Ｔｅｒｍ  Ｅｖｏｌｕｔｉｏｎ）システムにおいて、端末が３ＧＰＰ（登録商標）プロトコルＴＳ３６．２１３（３ＧＰＰ  ＴＳ３６．２１３：「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、Ｐｈｙｓｉｃａｌ  ｌａｙｅｒ  ｐｒｏｃｅｄｕｒｅｓ（物理層プロシージャ）」）のセクション５．１．１における上り電力制御プロセスに基づいて、ＰＵＳＣＨ（Ｐｈｙｓｉｃａｌ  Ｕｐｌｉｎｋ  Ｓｈａｒｅｄ  Ｃｈａｎｎｅｌ）の送信電力
【数１】
2021524193.tif 000003
を算出し、その後、ＰＵＳＣＨ伝送時に非ゼロＰＵＳＣＨ伝送を有するアンテナポートの数と、ＰＵＳＣＨに対応する伝送方式に対して基地局が設定するアンテナポートの数との比率に基づいて比例的にスケーリングすることができるように、上り電力制御方法が規定されている。実際の上り伝送の場合、比例的にスケーリングした後に生成されるスケーリング電力は、非ゼロＰＵＳＣＨ伝送を有するアンテナポートに均等に割り当てられる。
【数２】
2021524193.tif 000004
は、電力制御プロセスの規定に基づいて、基地局からの電力制御に関する指示情報、端末によって推定したパス減衰情報、上り最大出力電力などの情報を用いて端末により特定されるものである。アンテナポートに関する比例的スケーリングを、電力制御プロセスで特定された上り送信電力（本例では
【数３】
2021524193.tif 000005
）に対して行うことにより、端末の全てのアンテナが最大出力電力を達成する必要がなく、端末の実現コストを低減することができるという利点がある。
【０００３】
コストを考慮すると、マルチアンテナをサポートする端末の全てが良好な送信アンテナキャリブレーション能力を有しているわけではない。従って、異なる端末は、異なるコヒーレント伝送能力を有する。例えば、全てのアンテナがコヒーレント伝送可能である端末もあれば、一部のアンテナのみがコヒーレント伝送可能である端末もあり、全てのアンテナがコヒーレント伝送できない端末もある。
【０００４】
３ＧＰＰ  ＮＲシステムでは、端末のコヒーレント伝送能力が３つ定義されている。
−完全コヒーレント（Ｆｕｌｌ  Ｃｏｈｅｒｅｎｔ）：アンテナの完全コヒーレント伝送能力を有する端末の場合、全てのアンテナは、コヒーレント伝送可能であり、即ち全てのアンテナは、位相キャリブレーションが可能である。
−部分コヒーレント（Ｐａｒｔｉａｌ  ｃｏｈｅｒｅｎｔ）：アンテナの部分コヒーレント伝送能力を有する端末の場合、対をなすアンテナのみがコヒーレント伝送可能であり、即ち、端末の対をなす送信アンテナは、キャリブレーションが可能である。
−非コヒーレント（Ｎｏｎ−ｃｏｈｅｒｅｎｔ）：アンテナの非コヒーレント伝送能力を有する端末の場合、コヒーレント伝送可能なアンテナがなく、即ち、端末の全ての送信アンテナは、キャリブレーションができない。
【０００５】
コードブックに基づく上り伝送では、異なるコヒーレント伝送能力の端末は、コードブックにおける異なるコードワードに対応する。電力制御プロセスで特定された上り送信電力を、設定ポート全体に占める非ゼロＰＵＳＣＨ伝送ポートの割合でスケーリングするように依然として端末に求める場合、非コヒーレント伝送能力の端末と部分コヒーレント伝送能力の端末は、ｒａｎｋ１のような低いランク（ｒａｎｋ）の場合に最大送信電力に達することができない。
【０００６】
ノンコードブックの上り伝送の場合、ｒａｎｋ数が設定されている上りサウンディング信号ＳＲＳ（Ｓｏｕｎｄｉｎｇ  Ｒｅｆｅｒｅｎｃｅ  Ｓｉｇｎａｌ）リソース数よりも小さくなると、端末が最大送信電力を達成できないということを直接に致す。
【０００７】
一方、端末の信号対雑音比ＳＮＲ（Ｓｉｇｎａｌ  Ｎｏｉｓｅ  Ｒａｔｉｏ）が比較的低い場合（特にセル端の端末）、通常、低ｒａｎｋ及び最大送信電力伝送で性能を向上させる。現在の上り電力のアンテナポートに関する比例的スケーリングの規則によれば、コードブックに基づかない上り伝送の端末、又はコードブックに基づく上り伝送の非コヒーレント伝送能力の端末は、Ｎ個のアンテナポートが設定される場合、単一ｒａｎｋ伝送の送信電力が、最大送信電力の１／Ｎにしか達しない。単一ｒａｎｋ伝送時の送信電力を最大送信電力まで上げることができれば、ＭＩＭＯ（Ｍｕｌｔｉｐｌｅ−Ｉｎｐｕｔ  Ｍｕｌｔｉｐｌｅ−Ｏｕｔｐｕｔ）のカバレッジを向上させることができるが、従来方式では実現できなかった。
【発明の概要】
【発明が解決しようとする課題】
【０００８】
本開示の解決しようとする技術課題は、一部の端末が上りマルチアンテナ伝送時に上り最大送信電力に達することができないという従来技術の問題を解決する上り電力制御方法及び装置を提供することである。
【課題を解決するための手段】
【０００９】
第１態様として、本開示の実施例は、端末に応用される上り電力制御方法を提供する。前記方法において、上りプリコーディング指示を取得することと、前記上りプリコーディング指示が目標プリコーディング指示に対応する場合、電力制御プロセスで特定される上り送信電力の値が不変であるように制御することとを含む。
【００１０】
本開示の一部実施例によれば、前記の電力制御プロセスで特定される上り送信電力の値が不変であるように制御することは、電力制御プロセスで特定される上り送信電力をスケーリングしないこと、又は、電力制御プロセスで特定される上り送信電力を電力スケーリング因子１でスケーリングすることを含む。
【００１１】
本開示の一部実施例によれば、前記の上りプリコーディング指示を取得することの後に、前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳ（Ｓｏｕｎｄｉｎｇ  Ｒｅｆｅｒｅｎｃｅ  Ｓｉｇｎａｌ）リソース数に基づいて、電力制御プロセスで特定される上り送信電力をスケーリングすることを更に含む。
【００１２】
本開示の一部実施例によれば、前記の上りプリコーディング指示を取得することの後に、前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングすることを更に含む。
【００１３】
本開示の一部実施例によれば、前記目標プリコーディング指示は、目標コードワードに対応するＴＰＭＩ（Ｔｒａｎｓｍｉｔ  Ｐｒｅｃｏｄｉｎｇ  Ｍａｔｒｉｘ  Ｉｎｄｉｃａｔｏｒ）及び／又は目標コードワードに対応するＴＲＩ（Ｔｒａｎｓｍｉｔ  Ｒａｎｋ  Ｉｎｄｉｃａｔｉｏｎ）を含む。
【００１４】
本開示の一部実施例によれば、前記目標コードワードは、目標アンテナポートのみで非ゼロ値を有するコードワードを含む。
【００１５】
本開示の一部実施例によれば、前記目標アンテナポートは、最も小さいインデックスのアンテナポートを含む。
【００１６】
本開示の一部実施例によれば、前記目標プリコーディング指示は、目標ＳＲＳリソースを指示するＳＲＩ（ＳＲＳ  ｒｅｓｏｕｒｃｅ  ｉｎｄｉｃａｔｏｒ）を含む。
【００１７】
本開示の一部実施例によれば、前記目標ＳＲＳリソースは、最も小さいインデックスのＳＲＳリソースを含む。
【００１８】
本開示の一部実施例によれば、前記目標プリコーディング指示は、シングルストリーム伝送時のプリコーディング指示を含む。
【００１９】
本開示の一部実施例によれば、前記目標プリコーディング指示は、予め定義されたプリコーディング指示であり、又は、前記目標プリコーディング指示は、ネットワーク機器から送信される前記目標プリコーディング指示の指示情報に基づいて得られ、
ネットワーク機器から送信される前記目標プリコーディング指示の指示情報を受信し、前記指示情報に基づいて前記目標プリコーディング指示を取得することを更に含む。
【００２０】
本開示の一部実施例によれば、前記方法は、前記目標プリコーディング指示に基づいて、物理アンテナとアンテナポートとの間のマッピング関係を特定することと、
前記マッピング関係に基づいて上り参照信号を送信することとを更に含む。
【００２１】
本開示の一部実施例によれば、ネットワーク機器によって端末に設定するアンテナポートの数に基づいて、電力制御プロセスで特定される上り送信電力をスケーリングすることは、
前記プリコーディング指示と、ネットワーク機器によって端末に設定する前記端末のＰＵＳＣＨ（Ｐｈｙｓｉｃａｌ  Ｕｐｌｉｎｋ  Ｓｈａｒｅｄ  Ｃｈａｎｎｅｌ）の上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得することと、
電力制御プロセスで特定される上り送信電力を前記第１比でスケーリングすることとを含む。
【００２２】
本開示の一部実施例によれば、ネットワーク機器によって端末に設定するアンテナポートの数に基づいて、電力制御プロセスで特定される上り送信電力をスケーリングすることは、
端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得することと、
電力制御プロセスで特定される上り送信電力を前記第２比でスケーリングすることとを含む。
【００２３】
本開示の一部実施例によれば、ネットワーク機器によって端末に設定する上りサウンディング信号ＳＲＳリソース数に基づいて、電力制御プロセスで特定される上り送信電力をスケーリングすることは、
ＳＲＩで指示されるＳＲＳリソース数と、ネットワーク機器によって端末に設定する前記端末のＰＵＳＣＨの上り伝送モードに対応するＳＲＳリソース数との第３比を取得することと、
電力制御プロセスで特定される上り送信電力を前記第３比でスケーリングすることとを含む。
【００２４】
本開示の一部実施例によれば、前記方法は、ネットワーク機器から送信されるコードブックサブセット制限情報を受信することと、
前記コードブックサブセット制限情報に基づいて、前記上りプリコーディング指示が目標プリコーディング指示に対応するか否かを特定することとを更に含む。
【００２５】
本開示の一部実施例によれば、異なる伝送モードでは異なる目標プリコーディング指示に対応する。
【００２６】
第２態様として、本開示の実施例は、上りプリコーディング指示を取得する取得モジュールと、
前記上りプリコーディング指示が目標プリコーディング指示に対応する場合、電力制御プロセスで特定される上り送信電力の値が不変であるように制御する制御モジュールとを含む端末を更に提供する。
【００２７】
第３態様として、本開示の実施例は、トランシーバと、メモリと、プロセッサと、前記メモリに記憶されて前記プロセッサで動作可能なコンピュータプログラムを含む端末を更に提供する。前記トランシーバは、上りプリコーディング指示を取得する。前記プロセッサは、メモリからプログラムを読み取ることによって、前記上りプリコーディング指示が目標プリコーディング指示に対応する場合、電力制御プロセスで特定される上り送信電力の値が不変であるように制御するプロセスを実行する。
【００２８】
本開示の一部実施例によれば、前記プロセッサは、具体的には、電力制御プロセスで特定される上り送信電力をスケーリングせず、又は、電力制御プロセスで特定される上り送信電力を電力スケーリング因子１でスケーリングする。
【００２９】
本開示の一部実施例によれば、前記プロセッサは、更に、前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする。
【００３０】
本開示の一部実施例によれば、前記プロセッサは、更に、前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする。
【００３１】
本開示の一部実施例によれば、前記目標プリコーディング指示は、目標コードワードに対応するＴＰＭＩ及び／又は目標コードワードに対応するＴＲＩを含む。
【００３２】
本開示の一部実施例によれば、前記目標コードワードは、目標アンテナポートのみで非ゼロ値を有するコードワードを含む。
【００３３】
本開示の一部実施例によれば、前記目標アンテナポートは、最も小さいインデックスのアンテナポートを含む。
【００３４】
本開示の一部実施例によれば、前記目標プリコーディング指示は、目標ＳＲＳリソースを指示するＳＲＩを含む。
【００３５】
本開示の一部実施例によれば、前記目標ＳＲＳリソースは、最も小さいインデックスのＳＲＳリソースを含む。
【００３６】
本開示の一部実施例によれば、前記目標プリコーディング指示は、シングルストリーム伝送時のプリコーディング指示を含む。
【００３７】
本開示の一部実施例によれば、前記目標プリコーディング指示は、予め定義されたプリコーディング指示であり、又は、前記目標プリコーディング指示は、ネットワーク機器から送信される前記目標プリコーディング指示の指示情報に基づいて得られ、
前記トランシーバは、更に、ネットワーク機器から送信される前記目標プリコーディング指示の指示情報を受信し、
前記プロセッサは、前記指示情報に基づいて前記目標プリコーディング指示を取得する。
【００３８】
本開示の一部実施例によれば、前記プロセッサは、更に、前記目標プリコーディング指示に基づいて、物理アンテナとアンテナポートとの間のマッピング関係を特定し、
前記トランシーバは、前記マッピング関係に基づいて上り参照信号を送信する。
【００３９】
本開示の一部実施例によれば、前記プロセッサは、ネットワーク機器によって端末に設定するアンテナポートの数に基づいて、電力制御プロセスで特定される上り送信電力をスケーリングする場合、具体的には、
前記プリコーディング指示と、ネットワーク機器によって端末に設定する前記端末のＰＵＳＣＨの上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得し、電力制御プロセスで特定される上り送信電力を前記第１比でスケーリングする。
【００４０】
本開示の一部実施例によれば、前記プロセッサは、ネットワーク機器によって端末に設定するアンテナポートの数に基づいて、電力制御プロセスで特定される上り送信電力をスケーリングする場合、
端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得し、電力制御プロセスで特定される上り送信電力を前記第２比でスケーリングする。
【００４１】
本開示の一部実施例によれば、前記プロセッサは、ネットワーク機器によって端末に設定する上りサウンディング信号ＳＲＳリソース数に基づいて、電力制御プロセスで特定される上り送信電力をスケーリングする場合、
ＳＲＩで指示されるＳＲＳリソース数と、ネットワーク機器によって端末に設定する前記端末のＰＵＳＣＨの上り伝送モードに対応するＳＲＳリソース数との第３比を取得し、電力制御プロセスで特定される上り送信電力を前記第３比でスケーリングする。
【００４２】
本開示の一部実施例によれば、前記トランシーバは、更に、ネットワーク機器から送信されるコードブックサブセット制限情報を受信し、
前記プロセッサは、更に、前記コードブックサブセット制限情報に基づいて、前記上りプリコーディング指示が目標プリコーディング指示に対応するか否かを特定する。
【００４３】
本開示の一部実施例によれば、異なる伝送モードでは異なる目標プリコーディング指示に対応する。
【００４４】
第４態様として、本開示の実施例は、コンピュータプログラムが記憶されているコンピュータ読み取り可能な記憶媒体を更に提供する。該プログラムがプロセッサによって実行されると、上記のいずれか一項に記載の上り電力制御方法のステップが実現される。
【００４５】
第５態様として、本開示の実施例は、ネットワーク機器に応用される上り電力制御方法を更に提供する。前記方法において、端末の上りプリコーディング指示を特定するための送信電力仮定を特定することと、
前記送信電力仮定に基づいて、前記端末の上りプリコーディング指示を特定することと、
前記上りプリコーディング指示を前記端末に送信することとを含む。
【００４６】
本開示の一部実施例によれば、前記の端末の上りプリコーディング指示を特定するための送信電力仮定を特定することは、
仮定の端末のコヒーレント伝送能力及び上り伝送モードを特定することと、
前記仮定の端末のコヒーレント伝送能力及び／又は前記上り伝送モードに基づいて、前記端末の上りプリコーディング指示を特定するための送信電力仮定を特定することとを含む。
【００４７】
本開示の一部実施例によれば、前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である。
【００４８】
本開示の一部実施例によれば、前記の前記仮定の端末のコヒーレント伝送能力及び／又は前記上り伝送モードに基づいて、前記端末の上りプリコーディング指示を特定するための送信電力仮定を特定することは、
前記上り伝送モードにおいて第１目標プリコーディングが存在する場合、前記第１目標プリコーディングに対応する送信電力仮定として、電力制御プロセスで特定される上り送信電力の値が不変であるように前記端末は制御することであると特定することを含む。
【００４９】
本開示の一部実施例によれば、前記の前記仮定の端末のコヒーレント伝送能力及び／又は前記上り伝送モードに基づいて、前記端末の上りプリコーディング指示を特定するための送信電力仮定を特定することは、
前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定することを更に含む。
【００５０】
本開示の一部実施例によれば、前記の前記仮定の端末のコヒーレント伝送能力及び／又は前記上り伝送モードに基づいて、前記端末の上りプリコーディング指示を特定するための送信電力仮定を特定することは、
前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定すること、及び／又は、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定することを含む。
【００５１】
本開示の一部実施例によれば、前記上り伝送モードがノンコードブック上り伝送であり、前記仮定の端末のコヒーレント伝送能力が非コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定することを更に含む。
【００５２】
本開示の一部実施例によれば、前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
第３目標プリコーディング以外の第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定することを更に含む。
【００５３】
本開示の一部実施例によれば、前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
前記第３目標プリコーディング以外のシングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定することを更に含む。
【００５４】
本開示の一部実施例によれば、前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定することを含む。
【００５５】
本開示の一部実施例によれば、前記上り伝送モードがノンコードブック上り伝送であり、前記仮定の端末のコヒーレント伝送能力が完全コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
任意のプリコーディングに対応する送信電力仮定として、電力制御プロセスで特定される上り送信電力の値が不変であるように前記端末は制御することであると特定することを含む。
【００５６】
本開示の一部実施例によれば、前記第１目標プリコーディングを指示するための指示情報を前記端末に送信することを更に含む。
【００５７】
本開示の一部実施例によれば、前記第２目標プリコーディング及び／又は前記第３目標プリコーディングを指示するための指示情報を前記端末に送信することを更に含む。
【００５８】
第６態様として、本開示の実施例は、端末の上りプリコーディング指示を特定するための送信電力仮定を特定する第１特定モジュールと、
前記送信電力仮定に基づいて、前記端末の上りプリコーディング指示を特定する第２特定モジュールと、
前記上りプリコーディング指示を前記端末に送信する第１送信モジュールとを含む、ネットワーク機器を更に提供する。
【００５９】
第７態様として、本開示の実施例は、トランシーバと、メモリと、プロセッサと、前記メモリに記憶されて前記プロセッサで動作可能なコンピュータプログラムを含むネットワーク機器を更に提供する。前記プロセッサは、メモリからプログラムを読み取ることによって、端末の上りプリコーディング指示を特定するための送信電力仮定を特定するプロセスと、前記送信電力仮定に基づいて、前記端末の上りプリコーディング指示を特定するプロセスとを実行し、
前記トランシーバは、前記上りプリコーディング指示を前記端末に送信する。
【００６０】
本開示の一部実施例によれば、前記プロセッサは、更に、仮定の端末のコヒーレント伝送能力及び上り伝送モードを特定し、前記仮定の端末のコヒーレント伝送能力及び／又は前記上り伝送モードに基づいて、前記端末の上りプリコーディング指示を特定するための送信電力仮定を特定する。
【００６１】
本開示の一部実施例によれば、前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である。
【００６２】
本開示の一部実施例によれば、前記プロセッサは、更に、前記上り伝送モードにおいて第１目標プリコーディングが存在する場合、前記第１目標プリコーディングに対応する送信電力仮定として、電力制御プロセスで特定される上り送信電力の値が不変であるように前記端末は制御することであると特定する。
【００６３】
本開示の一部実施例によれば、前記プロセッサは、更に、前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定する。
【００６４】
本開示の一部実施例によれば、前記プロセッサは、更に、前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定し、及び／又は、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定する。
【００６５】
本開示の一部実施例によれば、前記上り伝送モードがノンコードブック上り伝送であり、前記仮定の端末のコヒーレント伝送能力が非コヒーレント伝送であり、
前記プロセッサは、更に、
前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する。
【００６６】
本開示の一部実施例によれば、前記上り伝送モードがノンコードブック上り伝送であり、前記仮定の端末のコヒーレント伝送能力が部分コヒーレント伝送であり、
前記プロセッサは、更に、
第３目標プリコーディング以外の第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する。
【００６７】
本開示の一部実施例によれば、前記上り伝送モードがノンコードブック上り伝送であり、前記仮定の端末のコヒーレント伝送能力が部分コヒーレント伝送であり、
前記プロセッサは、更に、
前記第３目標プリコーディング以外のシングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する。
【００６８】
本開示の一部実施例によれば、前記上り伝送モードがノンコードブック上り伝送であり、前記仮定の端末のコヒーレント伝送能力が部分コヒーレント伝送であり、
前記プロセッサは、更に、
シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する。
【００６９】
本開示の一部実施例によれば、前記上り伝送モードがノンコードブック上り伝送であり、前記仮定の端末のコヒーレント伝送能力が完全コヒーレント伝送であり、
前記プロセッサは、更に、
任意のプリコーディングに対応する送信電力仮定として、電力制御プロセスで特定される上り送信電力の値が不変であるように前記端末は制御することであると特定する。
【００７０】
本開示の一部実施例によれば、前記トランシーバは、更に、前記第１目標プリコーディングを指示するための指示情報を前記端末に送信する。
【００７１】
本開示の一部実施例によれば、前記トランシーバは、更に、前記第２目標プリコーディング及び／又は前記第３目標プリコーディングを指示するための指示情報を前記端末に送信する。
【００７２】
第８態様として、本開示の実施例は、コンピュータプログラムが記憶されているコンピュータ読み取り可能な記憶媒体を更に提供する。該プログラムがプロセッサによって実行されると、上記のいずれか一項に記載の上り電力制御方法が実現される。
【発明の効果】
【００７３】
本開示の実施例に係る上り電力制御方法によれば、上りプリコーディング指示を取得した後に、上りプリコーディング指示が目標プリコーディング指示に対応する場合、電力制御プロセスで特定される上り送信電力の値が不変であるように制御する。このように、一部のプリコーディング指示で上り最大送信電力を達成できることを保証し、上り伝送のカバレッジを向上させることができる。例えば、端末がノンコードブックの上りＭＩＭＯ低ランク伝送を行う場合、一部のプリコーディングでは上り最大送信電力を達成でき、非コヒーレント伝送能力又は部分コヒーレント伝送能力の端末がコードブックに基づく上りＭＩＭＯ低ランク伝送を行う場合、一部のプリコーディングでは上り最大送信電力を達成でき、且つ端末の全てのアンテナが最大送信電力を達成できることが求められないため、コストが低減される。
【００７４】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、進歩性のある作業をしない前提で、これらの図面から他の図面を得ることもできる。
【図面の簡単な説明】
【００７５】
【図１】本開示の実施例に係る上り電力制御方法のフローチャートである。
【図２】本開示の実施例に係る端末の構造図である。
【図３】本開示の実施例に係る端末の別の構造図である。
【図４】本開示の実施例に係る上り電力制御方法のフローチャートである。
【図５】本開示の実施例に係るネットワーク機器の構造図である。
【図６】本開示の実施例に係るネットワーク機器の別の構造図である。
【発明を実施するための形態】
【００７６】
本開示の解決しようとする技術課題、技術手段及び利点をより明確にするために、以下、図面及び具体的な実施例とともに詳細に記載する。
【００７７】
本開示の一部実施例において、図１に示すように、端末に応用される上り電力制御方法を提供する。前記方法において、上りプリコーディング指示を取得するステップ１０１と、前記上りプリコーディング指示が目標プリコーディング指示に対応する場合、電力制御プロセスで特定される上り送信電力の値が不変であるように制御するステップ１０２とを含む。
【００７８】
本開示の実施例に係る上り電力制御方法は、上りプリコーディング指示が目標プリコーディング指示に対応する場合、電力制御プロセスで特定される上り送信電力の値が不変であるように制御することによって、端末が低い信号対雑音比で受信したプリコーディング指示が目標プリコーディング指示である場合に最大送信電力を達成できることを保証し、上りカバレッジの性能を向上させる。例えば、端末がノンコードブックの上りＭＩＭＯ低ランク伝送を行う場合、目標プリコーディング指示に対応する上り伝送では上り最大送信電力を達成でき、非コヒーレント伝送能力又は部分コヒーレント伝送能力の端末がコードブックに基づく上りＭＩＭＯ伝送を行う場合、目標プリコーディング指示に対応する上り伝送では上り最大送信電力を達成でき、且つ端末の全てのアンテナが最大送信電力を達成できることが求められないため、コストが低減される。また、全てのプリコーディング指示に対応する上り伝送では、電力制御プロセスで特定される上り送信電力に対し、アンテナポート（１未満）に関する電力スケーリングを行うことよりも、端末が受信したプリコーディング指示は目標プリコーディング指示である場合、端末の上り送信電力がより大きく、より良い性能が得られる。
【００７９】
本開示の一部実施例によれば、上記ステップ１０２は、電力制御プロセスで特定される上り送信電力をスケーリングしないステップ１０２１、又は、電力制御プロセスで特定される上り送信電力を電力スケーリング因子１でスケーリングするステップ１０２２を含む。
【００８０】
この場合、上りプリコーディング指示が目標プリコーディング指示に対応する場合、電力制御プロセスで特定される上り送信電力に対し、スケーリング操作をせず、又は、電力制御プロセスで特定される上り送信電力を電力スケーリング因子１でスケーリングすることによって、一部のプリコーディング指示では最大送信電力を達成できることを保証し、性能を向上させる。更に、物理上り共有チャネル（ＰＵＳＣＨ）を送信する際には、電力制御プロセスで特定される上り送信電力をスケーリングせずに、電力制御プロセスで特定される上り送信電力を、非ゼロ電力でＰＵＳＣＨを送信するアンテナポートに直接割り当てる。
【００８１】
本開示の一部実施例によれば、電力制御プロセスで特定される上り送信電力は、電力制御プロセスの規定に基づいて、基地局からの電力制御に関する指示情報、端末によって推定したパス減衰情報、上り最大出力電力などを用いて、端末によって特定されるものである。例えばＬＴＥシステムにおいて、ＰＵＳＣＨ伝送時に、前記電力制御プロセスで特定される上り送信電力は、３ＧＰＰプロトコルＴＳ３６．２１３標準のセクション５．１．１におけるＰＵＳＣＨの送信電力に対する規定を参照して特定した
【数４】
2021524193.tif 000006
である。
【００８２】
本開示の一部実施例によれば、前記目標プリコーディング指示は、予め定義されたプリコーディング指示であり、又は、前記目標プリコーディング指示は、ネットワーク機器から送信される前記目標プリコーディング指示の指示情報に基づいて得られる。前記方法において、ネットワーク機器から送信される前記目標プリコーディング指示の指示情報を受信し、前記指示情報に基づいて前記目標プリコーディング指示を取得することを更に含む。
【００８３】
この場合、目標プリコーディング指示は、予め定義されたプリコーディング指示であり、又は、目標プリコーディング指示は、シグナリングによって通知されるプリコーディング指示である。
【００８４】
本開示の一部実施例によれば、目標プリコーディング指示を予め定義する方式は、直接方式又は間接方式である。
【００８５】
例えば、前記目標プリコーディング指示は、ネットワーク機器及び端末機器によって予め定義される。例えば、プロトコルによって取り決められる。プロトコルによる取り決めでは、プリコーディング指示がある特定の値に対応する場合、端末が、電力制御式から算出した上り信号の送信電力をスケーリングせず、それを直接、非ゼロ電力で送信するアンテナポート（ａｎｔｅｎｎａ  ｐｏｒｔｓ  ｗｉｔｈ  ａ  ｎｏｎ−ｚｅｒｏ  ＰＵＳＣＨ  ｔｒａｎｓｍｉｓｓｉｏｎ  ｐｏｗｅｒ）に割り当てる。
【００８６】
上り伝送がコードブックに基づく（ｃｏｄｅｂｏｏｋ  ｂａｓｅｄ）ＰＵＳＣＨ伝送である場合、非ゼロ電力送信のアンテナポートは、ネットワーク機器によって指示されるプリコーディング行列の任意の非ゼロ要素に対応するアンテナポートがいずれも非ゼロ電力送信のアンテナポートであると理解される。例えば、４アンテナポート送信のＰＵＳＣＨの場合、ネットワーク機器は、４行Ｒ列のプリコーディング行列を端末に指示する。Ｒは、ネットワーク機器からＰＵＳＣＨに指示するストリーム数（ｒａｎｋ）に対応する。プリコーディング行列の各行は、１つのＰＵＳＣＨアンテナポートに対応する。プリコーディング行列のある行に０でない要素がある場合、その行に対応するアンテナポートは、非ゼロ電力送信のアンテナポートである。ある行の全ての要素が０である場合、その行に対応するＰＵＳＣＨアンテナポートは、非ゼロ電力送信のアンテナポートではない。
【００８７】
上り伝送がノンコードブックの（ｎｏｎ−ｃｏｄｅｂｏｏｋ  ｂａｓｅｄ）ＰＵＳＣＨ伝送である場合、非ゼロ電力送信のアンテナポートは、ネットワーク機器によって指示されたＳＲＳリソースに対応するＰＵＳＣＨアンテナポートであると理解される。例えば、ノンコードブックタイプのＳＲＳリソース集合に４つのＳＲＳリソースが設定され、各ＳＲＳリソースが１つのＰＵＳＣＨアンテナポートに対応すると仮定する。ネットワーク機器からＳＲＩ（ＳＲＳ  ｒｅｓｏｕｒｃｅ  ｉｎｄｉｃａｔｏｒ）によって指示されるＳＲＳリソースに対応するＰＵＳＣＨポートは、非ゼロ電力送信のアンテナポートであり、ネットワーク機器が指示していないＳＲＳリソースに対応するＰＵＳＣＨポートは、非ゼロ電力送信のアンテナポートではない。
【００８８】
選択可能に、端末は、電力制御式に基づいて算出した上り信号の送信電力を、非ゼロ電力送信のアンテナポートに均等に割り当て、前記電力で上り信号の伝送を行う。
【００８９】
例えば、直接的な事前定義方式の１つは、ＴＰＭＩのｉｎｄｅｘ（インデックス）が０に等しいとき、それに対応するプリコーディング指示が目標プリコーディング指示であることを事前に定義する。別の直接的な事前定義方式は、ＳＲＩが特定の１つ又は複数の値に対応するとき、それが目標プリコーディング指示であることを事前に定義する。
【００９０】
間接的な方式として、以下が考えられる。
−１つの方式は、ＴＰＭＩの値がいくつかの予め定義された値に対応する場合に、端末が、電力制御プロセスで特定される上り送信電力に対し、アンテナポートに関する比例的スケーリングをしないことを予め定義する。
−１つの方式は、ＴＰＭＩの値がいくつかの予め定義された値に対応する場合に、端末が、電力制御プロセスで特定される上り送信電力に対し、アンテナポートに関する比例的スケーリング因子１の比例的スケーリングをすることを予め定義する。
−１つの方式は、ＴＰＭＩの値がいくつかの予め定義された値に対応する場合に、電力制御プロセスで特定される上り送信電力を端末によって比例的スケーリングをした後の送信電力が、電力制御プロセスで特定される上り送信電力に等しくなることを予め定義する。
−１つの方式は、ＳＲＩの値がいくつかの予め定義された値に対応する場合に、端末が、電力制御プロセスで特定される上り送信電力に対し、アンテナポートに関する比例的スケーリングをしないことを予め定義する。
−１つの方式は、ＳＲＩの値がいくつかの予め定義された値に対応する場合に、端末が、電力制御プロセスで特定される上り送信電力に対し、アンテナポートに関する比例的スケーリング因子１の比例的スケーリングをすることを予め定義する。
−１つの方式は、ＳＲＩの値がいくつかの予め定義された値に対応する場合に、電力制御プロセスで特定される上り送信電力を端末によって比例的スケーリングをした後の送信電力が、電力制御プロセスで特定される上り送信電力に等しくなることを予め定義する。
−１つの方式は、コードブックにおいて、アンテナポートの一部しかを使用しない一部のコードワードの正規化電力を１に設定することである。この部分のコードワードに対応するプリコーディング指示は、目標プリコーディング指示に対応すると見なされてよい。
【００９１】
他の方式も、列挙されないものの、本開示の範囲内に含まれるべきであることに留意されたい。
【００９２】
本開示の一部実施例によれば、ネットワーク機器は、目標プリコーディング指示の指示情報をＲＲＣシグナリングによって端末に送信する。
【００９３】
本開示の一部実施例によれば、前記目標プリコーディング指示は、目標コードワードに対応するＴＰＭＩ（Ｔｒａｎｓｍｉｔ  Ｐｒｅｃｏｄｉｎｇ  Ｍａｔｒｉｘ  Ｉｎｄｉｃａｔｏｒ）及び／又は目標コードワードに対応するＴＲＩ（Ｔｒａｎｓｍｉｔ  Ｒａｎｋ  Ｉｎｄｉｃａｔｉｏｎ）を含む。
【００９４】
たとえば、上り伝送方式がコードブックに基づく上り伝送である場合、プリコーディング指示がＤＣＩ（Ｄｏｗｎｌｉｎｋ  Ｃｏｎｔｒｏｌ  Ｉｎｆｏｒｍａｔｉｏｎ）のプリコーディング情報及びストリーム数Ｐｒｅｃｏｄｉｎｇ  ｉｎｆｏｒｍａｔｉｏｎ  ａｎｄ  ｎｕｍｂｅｒ  ｏｆ  ｌａｙｅｒｓフィールドによって指示されると、該プリコーディング指示には、該プリコーディングに対応する上り伝送に対応するＴＰＭＩ及びＴＲＩが含まれる。目標プリコーディング指示は、目標コードワードに対応するＰｒｅｃｏｄｉｎｇ  ｉｎｆｏｒｍａｔｉｏｎ  ａｎｄ  ｎｕｍｂｅｒ  ｏｆ  ｌａｙｅｒｓの値である。
【００９５】
本開示の一部実施例によれば、目標プリコーディング指示は、１つであってもよいし、複数であってもよい。
【００９６】
本開示の一部実施例によれば、前記目標プリコーディング指示は、シングルストリーム伝送時のプリコーディング指示を含む。
【００９７】
本開示の一部実施例によれば、目標プリコーディング指示は、シングルストリーム伝送のコードワードに対応するプリコーディング指示である。
【００９８】
本開示の一部実施例によれば、目標プリコーディング指示のうちの一部のプリコーディング指示は、シングルストリーム伝送の１つ又は複数のコードワードに対応し、一部のプリコーディング指示は、マルチストリーム伝送の１つ又は複数のコードワードに対応する。
【００９９】
本開示の一部実施例によれば、目標プリコーディング指示は、目標コードワードに対応するプリコーディング指示を含む。
【０１００】
本開示の一部実施例によれば、前記目標コードワードは、予め定義されたコードワードである。又は、前記目標コードワードは、ネットワーク機器から目標コードワード指示情報によって前記端末に送信されるものである。前記方法は、ネットワーク機器から送信される前記目標コードワードの指示情報を受信し、前記指示情報に基づいて前記目標コードワードを取得することを更に含む。
【０１０１】
本開示の一部実施例によれば、目標コードワードは、端末からシグナリングによってネットワーク機器に指示される。
【０１０２】
本開示の一部実施例によれば、前記目標コードワードは、端末のアンテナポートの電力能力に基づいて特定されるコードワードである。例えば、端末のすべてのアンテナポートの電力能力がフルパワー送信可能である場合、目標コードワードは、すべてのコードワードである。また、例えば、端末のアンテナポートの電力能力として、任意の２つのアンテナポートの出力電力の和がフルパワーを達成できる場合（例えば、任意の２つのアンテナポートの最大出力電力の和が、端末の電力クラスに対応する最大出力電力要件を満足できる）、目標コードワードは、非ゼロ伝送のアンテナポートが少なくとも２つあるコードワードである。また、例えば、端末のアンテナポートの電力能力として、任意の２つのアンテナポートの出力電力の和がフルパワーを達成できる場合（例えば、任意の２つのアンテナポートの最大出力電力の和が、端末の電力クラスに対応する最大出力電力要件を満足できる）、目標コードワードは、非ゼロ伝送のアンテナポートが２つ又は４つあるコードワードである。
【０１０３】
本開示の一部実施例によれば、前記目標コードワードは、目標アンテナポートのみで非ゼロ値を有するコードワードを含む。
【０１０４】
この場合、目標プリコーディング指示は、目標アンテナポートのみで非ゼロ値を有するコードワードに対応するプリコーディング指示を含む。
【０１０５】
本開示の一部実施例によれば、目標プリコーディング指示は、目標アンテナポートのみで非ゼロ値を有する１つのコードワードに対応する１つのプリコーディング指示を含む。
【０１０６】
本開示の一部実施例によれば、目標プリコーディング指示は、目標アンテナポートのみで非ゼロ値を有する全てのコードワードに対応する全てのプリコーディング指示を含む。
【０１０７】
例えば、目標プリコーディング指示は、ネットワーク機器から端末に２つのアンテナポートを設定した場合、コードブックのうち１番目のアンテナポート（インデックスの昇順）のみで非ゼロ値を有する１つのコードワードに対応する１つのプリコーディング指示を含む。また例えば、目標プリコーディング指示は、ネットワーク機器から端末に４つのアンテナポートを設定した場合、コードブックのうち２番目のアンテナポート（インデックスの昇順）のみで非ゼロ値を有する１つのコードワードに対応する１つのプリコーディング指示を含む。上記の例に限定されない。
【０１０８】
本開示の一部実施例によれば、上記目標アンテナポートは、予め定義されたアンテナポートである。又は、前記目標アンテナポートは、ネットワーク機器から目標アンテナポート指示情報によって前記端末に送信される。前記方法は、ネットワーク機器から送信される前記目標アンテナポートの指示情報を受信し、前記指示情報に基づいて前記目標アンテナポートを取得することを更に含む。
【０１０９】
本開示の一部実施例によれば、目標アンテナポートは、端末からシグナリングによってネットワーク機器に指示するアンテナポートである。例えば、端末から報告されるフルパワー送信可能なアンテナポートである。前記方法は、前記目標アンテナポートの指示情報をネットワーク機器に送信することを更に含む。
【０１１０】
本開示の一部実施例によれば、目標アンテナポートは、端末からフルパワー送信可能なアンテナポートである。前記１つのアンテナポートがフルパワー送信可能であることは、１つのアンテナポートの最大出力電力が端末の電力クラスに対応する最大出力電力要件を満足できることを指す。例えば、ＲＡＮ４プロトコルでは、Ｐｏｗｅｒ  ｃｌａｓｓ  ３のＵＥの最大出力電力が２３ｄＢｍであることが求められるが、１つのアンテナポートの最大出力電力が２３ｄＢｍを達成できれば、該アンテナポートは、フルパワー送信可能なアンテナポートである。
【０１１１】
例えば、ＵＥは、１つのＳＲＳリソース内で最多４つのアンテナポートをサポートし（即ち、ＵＥは、最多４つのアンテナポートのＰＵＳＣＨ伝送をサポートする）、１番目及び３番目のアンテナポートがフルパワー送信可能なアンテナポートである（即ち、１番目及び３番目のアンテナポートが目標アンテナポートである）とする。ネットワーク機器から指示されるＰＵＳＣＨのプリコーディング行列指示のプリコーディング行列が１番目及び／又は３番目のアンテナポートに非ゼロ値が存在し、他のアンテナポートがすべてゼロである場合、端末は、ＰＵＳＣＨ電力制御式から算出される送信電力を、非ゼロ値が存在するアンテナポートに直接均等に割り当てて伝送する。例えば、基地局から指示されるプリコーディング行列が［１  ０  ｊ  ０］Ｔである場合、該プリコーディング行列指示は、目標プリコーディング指示であり、端末は、ＰＵＳＣＨ電力制御式から算出される送信電力を、１番目及び３番目のアンテナポートに直接均等に割り当てて伝送する。基地局から指示されるプリコーディング行列が［１  １  ｊ  ｊ］Ｔである場合、該プリコーディング行列指示は、目標プリコーディング指示ではない。
【０１１２】
本開示の一部実施例によれば、前記目標アンテナポートは、最も小さいインデックスのアンテナポートを含む。
【０１１３】
本開示の一部実施例によれば、前記目標アンテナポートは、最も小さいインデックスのアンテナポートである。
【０１１４】
この場合、目標プリコーディング指示は、最も小さいインデックスのアンテナポートのみで非ゼロ値を有するコードワードに対応するプリコーディング指示である。
【０１１５】
本開示の一部実施例によれば、前記目標プリコーディング指示は、目標上り参照信号を指示する指示情報を含む。
【０１１６】
本開示の一部実施例によれば、前記目標プリコーディング指示は、目標ＳＲＳリソースを指示するＳＲＩを含む。
【０１１７】
例えば、ノンコードブックに基づく上り伝送の場合、プリコーディング指示は、ＳＲＩ（ＳＲＳ  ｒｅｓｏｕｒｃｅ  ｉｎｄｉｃａｔｏｒ）であり、ＰＵＳＣＨ伝送に対応するＳＲＳリソースを指示するＳＲＩは、ＤＣＩの「ＳＲＳリソース指示ＳＲＳ  ｒｅｓｏｕｒｃｅ  ｉｎｄｉｃａｔｏｒ」フィールドから取得される。端末は、ＳＲＩから上り伝送のストリーム数を同時に取得することができる。
【０１１８】
本開示の一部実施例によれば、目標プリコーディング指示は、（ＳＲＳリソース設定のインデックスの昇順で）一番目のＳＲＳリソースのみを指示するＳＲＩを含む。また、例えば、目標プリコーディング指示は、（ＳＲＳリソース設定のインデックスの昇順で）先頭から２つのＳＲＳリソースを指示するＳＲＩを含む。
【０１１９】
本開示の一部実施例によれば、前記目標ＳＲＳリソースは、最も小さいインデックスのＳＲＳリソースを含む。この場合、目標プリコーディング指示は、最も小さいインデックスのＳＲＳリソースを指示するＳＲＩを含む。
【０１２０】
本開示の一部実施例によれば、前記目標ＳＲＳリソースは、最も小さいインデックスのＳＲＳリソースである。
【０１２１】
本開示の一部実施例によれば、目標プリコーディング指示は、目標ＳＲＳリソースのみを指示する１つ又は複数のＳＲＩである。
【０１２２】
本開示の一部実施例によれば、目標プリコーディング指示は、目標ＳＲＳリソースを指示する全てのＳＲＩを含む。
【０１２３】
本開示の一部実施例によれば、目標プリコーディング指示は、シングルストリーム伝送時に、最も小さいインデックスのアンテナポートのみで非ゼロ値を有するコードワードに対応するプリコーディング指示である。
【０１２４】
例えば、３ＧＰＰ  ＮＲシステムにおいて、コードブックに基づく上り伝送の目標プリコーディング指示が、シングルストリーム伝送の場合に最も小さいインデックスのアンテナポートのみで非ゼロ値を有するコードワードに対応するＴＭＰＩである場合、対応する電力制御プロセスで特定される上り送信電力に対しアンテナポートの数に関する比例的スケーリングをしないプリコーディングに対応するコードワードは、端末に設定されるアンテナポートの数が２である場合に
【数５】
2021524193.tif 000007
であり、端末に設定されるアンテナポートの数が４である場合に
【数６】
2021524193.tif 000008
である。
【０１２５】
例えば、目標プリコーディング指示が、シングルストリーム伝送の場合に最も小さいインデックスのアンテナポートのみで非ゼロ値を有するコードワードに対応するプリコーディング指示であると仮定すると、上りプリコーディング指示に対応するコードワードが
【数７】
2021524193.tif 000009
であり、即ちＰＵＳＣＨ設定のアンテナポートの数が２である場合、コードワードのうちの一方のアンテナポートに対応する数値は、非ゼロであり、他方のアンテナポートに対応する数値は、０である。従来の方式では、該コードワードに対応するＰＵＳＣＨ総送信電力は、電力制御プロセスで特定される上り送信電力の１／２である。本開示の実施例の方式によれば、上りプリコーディング指示が目標プリコーディング指示に対応すると、該コードワードに対応するＰＵＳＣＨ総送信電力は、不変になる、電力制御プロセスで特定される上り送信電力の値である。即ち、電力制御プロセスで特定される上り送信電力をスケーリングせず、又は、電力制御プロセスで特定される上り送信電力を電力スケーリング因子１でスケーリングする。上りプリコーディング指示が目標プリコーディング指示に対応しない場合、上りプリコーディング指示及びネットワーク機器によって端末に設定するアンテナポートの数に基づいて、電力制御プロセスで特定される上り送信電力をスケーリングする。
【０１２６】
例えば、目標プリコーディング指示が、シングルストリーム伝送の場合に最も小さいインデックスのアンテナポートのみで非ゼロ値を有するコードワードに対応するプリコーディング指示であると仮定し、上りプリコーディング指示のコードワードが
【数８】
2021524193.tif 000010
であり、即ちＰＵＳＣＨ設定のアンテナポートの数が４である場合、コードワードのうちの１つのアンテナポートに対応する数値は、非ゼロであり、他のアンテナポートに対応する数値は、０である。従来の方式では、該コードワードに対応するＰＵＳＣＨ総送信電力は、電力制御プロセスで特定される上り送信電力の１／４である。本開示の実施例の方式によれば、上りプリコーディング指示が目標プリコーディング指示に対応すると、該コードワードに対応するＰＵＳＣＨ総送信電力は、不変になる、電力制御プロセスで特定される上り送信電力の値である。即ち、電力制御プロセスで特定される上り送信電力をスケーリングせず、又は、電力制御プロセスで特定される上り送信電力を電力スケーリング因子１でスケーリングする。上りプリコーディング指示が目標プリコーディング指示に対応しない場合、上りプリコーディング指示及びネットワーク機器によって端末に設定するアンテナポートの数に基づいて、電力制御プロセスで特定される上り送信電力をスケーリングする。
【０１２７】
本開示の一部実施例によれば、コードブックに基づく上り伝送の場合、目標プリコーディング指示に対応するコードワードの正規化因子により、該コードワードの正規化電力を１にする。ここで、コードワードの正規化電力は、コードワードにおけるすべての位置の電力の合計を指し、即ち、コードワードにおけるすべての位置の数値の平方である。例えば、コードワード
【数９】
2021524193.tif 000011
の正規化電力は、１／２であり、コードワード
【数１０】
2021524193.tif 000012
の正規化電力は、１である。例えば、目標プリコーディング指示が、最も小さいインデックスのアンテナポートのみで非ゼロ値を有するコードワードに対応する場合、現在の３ＧＰＰ  ＮＲシステムにおいてシングルストリーム伝送に対応する上りコードブックは、下記ように修正可能である。
【０１２８】
表６．３．１．５−１：
２つのアンテナポートを用いたシングルストリーム伝送のプリコーディング行列
【数１１】
2021524193.tif 000013
【表１】
2021524193.tif 000014
【０１２９】
表６．３．１．５−２：
４つのアンテナポートを用いたシングルストリーム伝送であり、且つプリコーディング変換を行うプリコーディング行列
【数１２】
2021524193.tif 000015
（ＤＦＴ−Ｓ−ＯＦＤＭ波形の４アンテナポートシングルストリーム伝送のコードブックに対応する）
【表２】
2021524193.tif 000016
【０１３０】
表６．３．１．５−３：
４つのアンテナポートを用いたシングルストリーム伝送であり、且つプリコーディング変換を行わないプリコーディング行列
【数１３】
2021524193.tif 000017
（ＣＰ−ＯＦＤＭ波形の４アンテナポートシングルストリーム伝送のコードブックに対応する）
【表３】
2021524193.tif 000018
【０１３１】
ノンコードブックの上り伝送の場合、目標プリコーディング指示が最も小さいインデックスのＳＲＳリソースのみを指示するＳＲＩであり、例えば、目標プリコーディングが、（ＳＲＳリソース設定のインデックスの昇順で）一番目のＳＲＳリソースのみを指示するＳＲＩであれば、ネットワーク機器によって指示されるＳＲＩが一番目のＳＲＳリソースのみに対応し、本開示の実施例の方式によれば、上りプリコーディング指示ＳＲＩは、目標プリコーディング指示に対応し、対応するＰＵＳＣＨ総送信電力は、不変になる、電力制御プロセスで特定される上り送信電力の値であり、即ち、電力制御プロセスで特定される上り送信電力をスケーリングせず、又は、電力制御プロセスで特定される上り送信電力を電力スケーリング因子１でスケーリングする。ネットワーク機器によって指示されるＳＲＩが一番目のＳＲＳリソースに対応するだけではなく（例えば、ＳＲＩが１番目、２番目のＳＲＳリソースに対応する）、又は、一番目のＳＲＳリソースに対応しない（例えば、ＳＲＩが３番目のＳＲＳリソースに対応する）などの場合では、対応するＰＵＳＣＨの総上り送信電力は、電力制御プロセスで特定される上り送信電力に基づいてスケーリングをした後の電力である。
【０１３２】
本開示の一部実施例によれば、本開示の実施例の方法は、一部の特定タイプの端末のみに適用可能である。例えば、非コヒーレント伝送能力を有する端末のみに適用する。また、例えば、非コヒーレント伝送能力又は部分コヒーレント伝送能力を有する端末のみに適用する。
【０１３３】
本開示の一部実施例によれば、本開示の実施例の方法は、１つの伝送モードにおいて一部のタイプの端末に適用し、別の伝送モードにおいて別のタイプの端末に適用する。例えば、コードブック伝送モードにおいて、コヒーレント伝送能力又は部分コヒーレント伝送能力を有する端末に適用し、ノンコードブック伝送モードにおいてすべての端末に適用する。
【０１３４】
本開示の一部実施例によれば、異なるコヒーレント伝送能力の端末は、異なる目標プリコーディング指示に対応する。
【０１３５】
本開示の一部実施例によれば、同一端末は、異なる伝送モードにおいて、異なる目標プリコーディング指示に対応する。
【０１３６】
一実施例として、Ｎ個のアンテナポートの設定では、目標プリコーディングの値は、複数である。例えば、ノンコードブック伝送モードでの目標プリコーディングの数は、２であり、目標プリコーディングは、（インデックスの昇順で）１番目のＳＲＳリソースのみを指示するＳＲＩ、及び、１番目及び２番目のＳＲＳアンテナリソースを指示するＳＲＩである。即ち、ＳＲＩが指示するＳＲＳリソースが１番目のＳＲＳリソースである場合、又はＳＲＩが指示するＳＲＳリソースが１番目と２番目のＳＲＳリソースである場合、上り伝送に対応する総上り送信電力は、不変になる、電力制御プロセスで特定される上り送信電力の値であり、アンテナポートに関する比例的スケーリングをしない。ＳＲＩが指示するＳＲＳリソースが他のＳＲＳリソースである場合、例えば、２番目のＳＲＳリソースのみを指示したり、他のＳＲＳリソースを指示したりするが、上り伝送に対応する総上り送信電力は、電力制御プロセスで特定される上り送信電力に対し、アンテナポートに関する比例的スケーリングをした後の送信電力である。
【０１３７】
上記目標プリコーディング指示が存在する（即ち、上記目標プリコーディング指示を予め定義したか又はシグナリングで通知した）場合、端末は、上り伝送モードに対応するための上り参照信号（例えばＳＲＳ）を送信する際に、前記目標プリコーディング指示に対応するコードワード又はリソースに基づいて、物理アンテナとアンテナポートとのマッピングを行う必要がある。
【０１３８】
本開示の一部実施例によれば、前記方法は、前記目標プリコーディング指示に基づいて、物理アンテナとアンテナポートとの間のマッピング関係を特定することと、前記マッピング関係に基づいて上り参照信号を送信することとを更に含む。
【０１３９】
このとき、端末は、上り伝送モードに対応するための上り参照信号（例えばＳＲＳ）を送信する際に、目標プリコーディング指示に対応するコードワード又はリソースに基づいて、物理アンテナとアンテナポートのマッピングを行う。
【０１４０】
例えば、コードブックに基づく上り伝送の場合、目標プリコーディング指示が、最も小さいインデックスのアンテナポートのみが非ゼロであるコードワード（例えば
【数１４】
2021524193.tif 000019
）に対応すれば、端末は、コードブック上り伝送のためのＳＲＳを送信する際に、最大送信電力を達成できるアンテナを用いて一番目のＳＲＳアンテナポートを送信する必要がある。
【０１４１】
なお、本開示の実施例における端末の部分コヒーレンス伝送能力は、３ＧＰＰ  ＮＲシステムで定義された部分コヒーレンス伝送能力のみに限定されない。３ＧＰＰ  ＮＲシステムでは、対をなすアンテナは、コヒーレント伝送可能であり、部分コヒーレント伝送能力を有すると見なされる。本開示の実施例において、部分コヒーレンス伝送能力は、３ＧＰＰ  ＮＲシステムにおける部分コヒーレンス伝送能力と同じ定義を有してもよいし、別の定義を有してもよい。例えば、全てのアンテナがコヒーレント伝送可能である場合や、全てのアンテナがコヒーレント伝送できない場合以外、端末が部分コヒーレント伝送能力を有すると見なされる。
【０１４２】
ネットワーク機器から端末に送信される目標プリコーディング指示の指示情報の方式として、選択可能に、前記指示情報は、目標プリコーディング指示の番号又は数値を直接指示する。選択可能に、前記指示情報は、目標プリコーディング指示に対応するコードワードの指示情報を含む。選択可能に、前記指示情報は、目標プリコーディング指示に対応するアンテナポートの指示情報を含む。選択可能に、前記指示情報は、目標プリコーディング指示に対応するストリーム数の指示情報を含む。
【０１４３】
本開示の一部実施例によれば、上記ステップ１０１の後に、前記方法は、前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングするステップ１０３を更に含む。
【０１４４】
この場合、上りプリコーディング指示が目標コーディング指示以外の他のプリコーディング指示に対応する場合、即ち上りプリコーディング指示が目標プリコーディング指示に対応していない場合、上りプリコーディング指示及びネットワーク機器によって端末に設定するアンテナポートの数又はネットワーク機器によって端末に設定するＳＲＳリソース数に基づいて、電力制御プロセスで特定される上り送信電力に対し、アンテナポートに関する比例的スケーリングをすることにより、端末の全てのアンテナに対して最大出力電力を求める必要がなくなるという効果が得られ、端末の実現コストが低減される。
【０１４５】
ここで、コードブックに基づく上り伝送モードにおいて、上りプリコーディング指示が目標コーディング指示以外の他のプリコーディング指示に対応している場合、上りプリコーディング指示及びネットワーク機器によって端末に設定するアンテナポートの数に基づいて、電力制御プロセスで特定される上り送信電力をスケーリングする。
【０１４６】
ノンコードブックの上り伝送モードにおいて、上りプリコーディング指示が目標コーディング指示以外の他のプリコーディング指示に対応している場合、前記上りプリコーディング指示及びネットワーク機器によって端末に設定するＳＲＳリソース数に基づいて、電力制御プロセスで特定される上り送信電力をスケーリングする。
【０１４７】
本開示の一部実施例によれば、前記上りプリコーディング指示が前記目標プリコーディング指示以外の他のプリコーディング指示に対応している場合、ネットワーク機器によって端末に設定するアンテナポートの数又はネットワーク機器によって端末に設定する上りサウンディング信号ＳＲＳリソース数に基づいて、電力制御プロセスで特定される上り送信電力を１未満のスケーリング因子でスケーリングする。
【０１４８】
本開示の一部実施例によれば、上記ステップ１０１の後に、前記方法は、前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングするステップ１０４を更に含む。
【０１４９】
この場合、上りプリコーディング指示が第１ストリーム数のストリーム伝送に対応し、且つ上りプリコーディング指示が目標コーディング指示以外の他のプリコーディング指示に対応する場合、即ち上りプリコーディング指示が目標プリコーディング指示に対応しない場合、電力制御プロセスで特定される上り送信電力に対し、アンテナポートに関する比例的スケーリングをすることにより、端末の全てのアンテナに対して最大出力電力を求める必要がなくなるという効果が得られ、端末の実現コストが低減される。
【０１５０】
ここで、第１ストリーム数は、シングルストリームであってもよいし、２ストリーム、３ストリーム、４ストリームなどのようなマルチストリームであってもよい。
【０１５１】
ノンコードブックに基づく上り伝送の場合、部分コヒーレント伝送能力を有する端末は、上りプリコーディング指示がシングルストリームに対応する場合、１つの電力スケーリング方式を採用し、上りプリコーディング指示がマルチストリーム（例えば２ストリーム、３ストリーム又は４ストリーム）に対応する場合、別の電力スケーリング方式を採用する。
【０１５２】
本開示の一部実施例によれば、前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力を１未満のスケーリング因子でスケーリングする。
【０１５３】
以下、本開示の実施例に係るいくつかの電力スケーリング方式を説明する。
【０１５４】
方式１：
本開示の一部実施例によれば、上記ステップ１０３又は１０４において、ネットワーク機器によって端末に設定するアンテナポートの数に基づいて、電力制御プロセスで特定される上り送信電力をスケーリングするステップは、前記プリコーディング指示と、ネットワーク機器によって端末に設定する前記端末のＰＵＳＣＨの上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得するステップ１０５１と、電力制御プロセスで特定される上り送信電力を前記第１比でスケーリングするステップ１０５２とを含む。ここで、非ゼロのＰＵＳＣＨ伝送電力を有するアンテナポートの数をＱｕｓｅｄ１とし、ネットワーク機器によって端末に設定する端末のＰＵＳＣＨの上り伝送モードに対応するアンテナポートの数をＱｃｏｎｆｉｇｕｒｅｄ１として、第１比Ｋ１：
【数１５】
2021524193.tif 000020
を取得する。
【０１５５】
ここで、電力制御プロセスで特定される上り送信電力を第１比Ｋ１でスケーリングすることによって、端末の実現コストが低減される。
【０１５６】
例えば、ノンコードブックに基づく上り伝送の場合、非コヒーレント伝送能力を有する端末は、端末の上りプリコーディング指示が目標プリコーディング指示以外の他のプリコーディング指示に対応する場合、他のプリコーディング指示における、非ゼロのＰＵＳＣＨ伝送電力を有するアンテナポートの数Ｑｕｓｅｄ１と、ネットワーク機器によって端末に設定する端末のＰＵＳＣＨの上り伝送モードに対応するアンテナポートの数Ｑｃｏｎｆｉｇｕｒｅｄ１との第１比Ｋ１に基づいて、電力制御プロセスで特定される上り送信電力をスケーリングする。
【０１５７】
ノンコードブックに基づく上り伝送の場合、部分コヒーレント伝送能力を有する端末は、端末の上りプリコーディング指示が目標プリコーディング指示以外の、第１ストリーム数のストリーム伝送の他のプリコーディング指示に対応する場合、他のプリコーディング指示における、非ゼロのＰＵＳＣＨ伝送電力を有するアンテナポートの数Ｑｕｓｅｄ１と、ネットワーク機器によって端末に設定する端末のＰＵＳＣＨの上り伝送モードに対応するアンテナポートの数Ｑｃｏｎｆｉｇｕｒｅｄ１との第１比Ｋ１に基づいて、電力制御プロセスで特定される上り送信電力をスケーリングする。
【０１５８】
ここで、第１ストリーム数は、シングルストリームであってもよいし、２ストリーム、３ストリーム、４ストリームなどのようなマルチストリームであってもよい。
【０１５９】
方式２：
本開示の一部実施例によれば、上記ステップ１０３又は１０４において、ネットワーク機器によって端末に設定するアンテナポートの数に基づいて、電力制御プロセスで特定される上り送信電力をスケーリングするステップは、端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得するステップ１０５３と、電力制御プロセスで特定される上り送信電力を前記第２比でスケーリングするステップ１０５４とを含む。ここで、端末にサポートされるコヒーレント伝送可能な最大アンテナポートの数をＱｍａｘとし、ネットワーク機器によって端末に設定する端末のＰＵＳＣＨの上り伝送モードに対応するアンテナポートの数をＱｃｏｎｆｉｇｕｒｅｄ１とし、第２の比Ｋ２：
【数１６】
2021524193.tif 000021
を取得する。
【０１６０】
ここで、電力制御プロセスで特定される上り送信電力を第２比Ｋ２でスケーリングすることにより、端末の実現コストが低減される。
【０１６１】
例えば、ノンコードブックに基づく上り伝送の場合、部分コヒーレント伝送能力を有する端末は、端末の上りプリコーディング指示が目標プリコーディング指示以外の、シングルストリーム伝送の他のプリコーディング指示に対応する場合、端末にサポートされるコヒーレント伝送可能な最大アンテナポートの数Ｑｍａｘと、ネットワーク機器によって端末に設定する端末ＰＵＳＣＨの上り伝送モードに対応するアンテナポートの数Ｑｃｏｎｆｉｇｕｒｅｄ１との第２比Ｋ２に基づいて、電力制御プロセスで特定される上り送信電力をスケーリングする。
【０１６２】
ここで、ノンコードブックに基づく上り伝送の場合、部分コヒーレント伝送能力を有する端末は、端末の上りプリコーディング指示が目標プリコーディング指示以外の、マルチストリーム（例えば２ストリーム、３ストリーム又は４ストリーム）伝送の他のプリコーディング指示に対応する場合、上記方式１のように、他のプリコーディング指示における、非ゼロのＰＵＳＣＨ伝送電力を有するアンテナポートの数Ｑｕｓｅｄ１と、ネットワーク機器によって端末に設定する端末のＰＵＳＣＨの上り伝送モードに対応するアンテナポートの数Ｑｃｏｎｆｉｇｕｒｅｄ１との第１比Ｋ１に基づいて、電力制御プロセスで特定される上り送信電力をスケーリングする。
【０１６３】
もちろん、ノンコードブックに基づく上り伝送の場合、部分コヒーレント伝送能力を有する端末は、端末の上りプリコーディング指示が目標プリコーディング指示以外の、マルチストリーム（例えば２ストリーム、３ストリーム又は４ストリーム）伝送の他のプリコーディング指示に対応する場合、方式２で電力スケーリングをしてもよい。
【０１６４】
又は、ノンコードブックに基づく上り伝送の場合、部分コヒーレント伝送能力を有する端末は、端末の上りプリコーディング指示がシングルストリーム伝送のプリコーディング指示に対応する場合、端末にサポートされるコヒーレント伝送可能な最大アンテナポートの数Ｑｍａｘと、ネットワーク機器によって端末に設定する端末ＰＵＳＣＨの上り伝送モードに対応するアンテナポートの数Ｑｃｏｎｆｉｇｕｒｅｄ１との第２比Ｋ２に基づいて、電力制御プロセスで特定される上り送信電力をスケーリングする。
【０１６５】
ここで、ノンコードブックに基づく上り伝送の場合、部分コヒーレント伝送能力を有する端末は、端末の上りプリコーディング指示がシングルストリーム伝送のプリコーディング指示にさえ対応すれば、電力制御プロセスで特定される上り送信電力を上記方式２でスケーリングする。
【０１６６】
ここで、完全コヒーレント伝送能力を有する端末は、それにサポートされるコヒーレント伝送可能な最大アンテナポートの数は、通常、ネットワーク機器によって端末に設定する端末のＰＵＳＣＨの上り伝送モードに対応するアンテナポートの数に等しい。従って、完全コヒーレント伝送能力を有する端末は、上記方式２で電力スケーリングをする際に、得られるスケーリング比率が
【数１７】
2021524193.tif 000022
である。
【０１６７】
非コヒーレント伝送能力を有する端末は、それにサポートされるコヒーレント伝送可能な最大アンテナポートの数は、通常、１である。従って、非コヒーレント伝送能力を有する端末は、上記方式２で電力スケーリングをする際に、得られるスケーリング比率が
【数１８】
2021524193.tif 000023
である。
【０１６８】
部分コヒーレント伝送能力を有する端末は、それにサポートされるコヒーレント伝送可能な最大アンテナポートの数は、通常、２である。従って、部分コヒーレント伝送能力を有する端末は、上記方式２で電力スケーリングをする際に、得られるスケーリング比率が
【数１９】
2021524193.tif 000024
である。
【０１６９】
本開示の実施例において、ノンコードブックに基づく上り伝送の場合、完全コヒーレント伝送能力を有する端末は、任意のプリコーディング指示に対し、電力制御プロセスで特定される上り送信電力の値が不変であるように制御する。
【０１７０】
方式３：
本開示の実施例によれば、上記ステップ１０３又は１０４において、ネットワーク機器によって端末に設定する上りサウンディング信号ＳＲＳリソース数に基づいて、電力制御プロセスで特定される上り送信電力をスケーリングするステップは、ＳＲＩで指示されるＳＲＳリソース数と、ネットワーク機器によって端末に設定する前記端末のＰＵＳＣＨの上り伝送モードに対応するＳＲＳリソース数との第３比を取得するステップ１０５５と、電力制御プロセスで特定される上り送信電力を前記第３比でスケーリングするステップ１０５６とを含む。ここで、ＳＲＩが指示するＳＲＳリソース数をＱｕｓｅｄ２とし、ネットワーク機器によって端末に設定する端末のＰＵＳＣＨの上り伝送モードに対応するＳＲＳリソース数をＱｃｏｎｆｉｇｕｒｅｄ２として、第３比Ｋ３：
【数２０】
2021524193.tif 000025
を取得する。
【０１７１】
ここで、電力制御プロセスで特定される上り送信電力を第３比Ｋ３でスケーリングすることにより、端末の実現コストが低減される。
【０１７２】
上記方式３は、各ＳＲＳリソースが１つのＳＲＳポートを含む場合に実行される。
【０１７３】
本開示の実施例によれば、前記方法は、ネットワーク機器から送信されるコードブックサブセット制限情報を受信するステップ１０６と、前記コードブックサブセット制限情報に基づいて、前記上りプリコーディング指示が目標プリコーディング指示に対応するか否かを特定するステップ１０７とを更に含む。
【０１７４】
ここで、コードブックに基づく上り伝送の場合、ネットワーク機器は、コードブックサブセット制限情報を端末に送信する。異なるコードブックサブセット制限情報は、異なる上りコードブックに対応する。端末は、コードブックサブセット制限情報に基づいて、上りプリコーディング指示が目標プリコーディング指示に対応するか否かを特定する。
【０１７５】
本開示の一部実施例によれば、コードブックサブセット制限情報は、アンテナコヒーレント伝送情報を含む。例えば、３ＧＰＰ  ＮＲシステムにおいて、コードブックサブセット制限情報は、上位層パラメータｃｏｄｅｂｏｏｋＳｕｂｓｅｔを含み、該パラメータの候補値は、｛ｆｕｌｌｙＡｎｄＰａｒｔｉａｌＡｎｄＮｏｎＣｏｈｅｒｅｎｔ，ｐａｒｔｉａｌＡｎｄＮｏｎＣｏｈｅｒｅｎｔ，ｎｏｎＣｏｈｅｒｅｎｔ｝がある。ここで、ｆｕｌｌｙＡｎｄＰａｒｔｉａｌＡｎｄＮｏｎＣｏｈｅｒｅｎｔは、アンテナの完全コヒーレント伝送が可能であることを指示する仮定の下でのコードワードからなるコードブックに対応し、ｐａｒｔｉａｌＡｎｄＮｏｎＣｏｈｅｒｅｎｔは、アンテナの部分コヒーレント伝送が可能であるという仮定の下でのコードワードからなるコードブックに対応し、ｎｏｎＣｏｈｅｒｅｎｔは、すべてのアンテナがコヒーレント伝送できないという仮定の下でのコードワードからなるコードブックに対応する。
【０１７６】
本開示の一部実施例によれば、本開示の実施例の上記すべての方法は、ある種のコードブックサブセット制限情報に対応するある１つ又は複数の特定値のシナリオのみに適用する。例えば、３ＧＰＰ  ＮＲシステムでネットワーク機器から端末に送信するコードブックサブセット制限情報ｃｏｄｅｂｏｏｋＳｕｂｓｅｔがｎｏｎＣｏｈｅｒｅｎｔに設定されるシナリオのみに適用する。また、例えば、３ＧＰＰ  ＮＲシステムでネットワーク機器から端末に送信するコードブックサブセット制限情報ｃｏｄｅｂｏｏｋＳｕｂｓｅｔがｎｏｎＣｏｈｅｒｅｎｔ又はｐａｒｔｉａｌＡｎｄＮｏｎＣｏｈｅｒｅｎｔに設定されるシナリオのみに適用する。
【０１７７】
本開示の一部実施例によれば、端末がネットワーク機器から受信したコードブックサブセット制限情報の値が異なる場合、異なる目標プリコーディング指示に対応する。
【０１７８】
本開示の一部実施例によれば、端末は、電力制御プロセスで特定される上り送信電力の値が不変であるように制御した後に、前記上り送信電力を、データ非ゼロ伝送を有するアンテナポートに均等に割り当てて、上り信号の伝送を行う。
【０１７９】
本開示の一部実施例によれば、端末は、電力制御プロセスで特定される上り送信電力をスケーリングした後に、スケーリングして得られた電力を、データ非ゼロ伝送を有するアンテナポートに均等に割り当てて、上り信号の伝送を行う。
【０１８０】
データ非ゼロ伝送を有するアンテナポートとは、上り信号データがマッピングされているアンテナポートを指す。上り伝送をＰＵＳＣＨの伝送とした例を示している。端末のＰＵＳＣＨ伝送をネットワーク機器がスケジューリングするときのプリコーディング指示に対応するプリコーディング行列を１／２［１  ０  １  ０］Ｔと仮定し、このプリコーディング行列は、目標コードワード（このプリコーディング行列は、１番目、３番目のポートで非ゼロ要素が存在し、即ち、データ非ゼロ伝送が存在する）である。すると、ＰＵＳＣＨは、データが１番目及び３番目のアンテナポートにマッピングされるシングルストリーム伝送（１番目及び３番目のアンテナポートは、データ非ゼロ伝送を有する）である。端末は、電力制御プロセスで特定される上り送信電力を、データ非ゼロ伝送を有するアンテナポートに均等に割り当て、ＰＵＳＣＨの伝送を行う。
【０１８１】
以下、本開示の実施例のいくつかの可能な実施方式を例示する。
【０１８２】
例１：
ネットワーク機器が端末にＮ（正の整数）アンテナポートを設定し、上りプリコーディング指示が目標プリコーディング指示に対応する場合、電力制御プロセスで特定される上り送信電力の値が不変であるように制御し、そうでない場合、電力制御プロセスで特定される上り送信電力に基づいて、アンテナポートに関する比例的スケーリングをする。
【０１８３】
目標プリコーディング指示は、ｒａｎｋ１伝送の場合に１つのアンテナポートのみが非ゼロである１つのプリコーディング指示である。
【０１８４】
コードブックに基づく上り伝送の場合、目標プリコーディング指示は、ｒａｎｋ１伝送の場合にコードワードのうち、１つのアンテナポートのみが非ゼロである１つのコードワードに対応するプリコーディング指示である。
【０１８５】
ノンコードブックの上り伝送の場合、目標プリコーディング指示は、１つのＳＲＳリソースのみを指示する１つのＳＲＩ指示である。
【０１８６】
上りコードブックを以下のように仮定する。
【表４】
2021524193.tif 000026
【０１８７】
目標プリコーディング指示がＤＣＩフィールドにおけるプリコーディング情報とストリーム数に対応するインデックス（ｉｎｄｅｘ）０のプリコーディング指示である場合、目標プリコーディングは、コードワード
【数２１】
2021524193.tif 000027
に対応する。
【０１８８】
本開示の実施例によれば、各コードワードに対応する上り伝送ではアンテナポートに関する比例的スケーリングをするか否かを示すために、コードブックのうち、目標プリコーディング指示に対応するコードワードの正規化因子によって該コードワードの総電力を１にし、即ち、以下のコードブックが使用される。
【表５】
2021524193.tif 000028
【０１８９】
目標プリコーディング指示がＤＣＩフィールドにおけるプリコーディング情報とストリーム数に対応するインデックス（ｉｎｄｅｘ）１のプリコーディング指示である場合、目標プリコーディングは、コードワード
【数２２】
2021524193.tif 000029
に対応する。
【０１９０】
目標プリコーディング指示がＤＣＩフィールドにおけるＳＲＳリソース指示に対応するインデックス（ｉｎｄｅｘ）０のプリコーディング指示である場合、目標プリコーディング指示は、一番目のＳＲＳリソースのみを指示することに対応する。
【０１９１】
特定のプリコーディング指示は、ＤＣＩフィールドにおけるＳＲＳリソース指示に対応するインデックス（ｉｎｄｅｘ）１のプリコーディング指示であってもよいが、ここでは詳しい説明を省略する。
【０１９２】
本例は、４個のアンテナポートに容易に拡張することができ、説明を省略する。
【０１９３】
例２：
端末が非コヒーレント伝送能力の端末であり、又は、端末が部分コヒーレント伝送能力の端末である場合、目標プリコーディング行列指示が存在するが、そうでない場合、目標プリコーディング指示が存在しない。
【０１９４】
目標プリコーディング指示がネットワーク機器によって端末に指示されるものである場合、目標プリコーディング指示が存在することは、ネットワーク機器が非コヒーレント伝送能力の端末、又は部分コヒーレント伝送能力の端末に目標プリコーディング指示を指示することを指し、目標プリコーディング指示が存在しないことは、ネットワーク機器が完全コヒーレント伝送能力を有する端末に目標プリコーディング指示を指示しないことを指す。
【０１９５】
例３：
例１に類似するが、目標プリコーディング指示は、ある目標アンテナポートが非ゼロである全てのプリコーディング指示であるという点で相違する。
【０１９６】
コードブックに基づく上り伝送の場合、目標プリコーディング指示は、ある目標アンテナポートが非ゼロである全てのコードワードに対応するプリコーディング指示である。
【０１９７】
ノンコードブックの上り伝送の場合、目標プリコーディング指示は、ある目標ＳＲＳリソースを含んだ全てのＳＲＩ指示である。
【０１９８】
ノンコードブックの上り伝送を例にとると、目標ＳＲＳリソースが１番目のＳＲＳリソース（インデックス０）であり、ネットワーク機器によって設定されるアンテナポートの数が４であると仮定し、ＳＲＩ指示が以下のテーブル１に対応すれば、テーブルの中のインデックス０のＳＲＳリソースを含むすべてのＳＲＩ指示に対応する電力制御プロセスで特定される上り送信電力に対し、アンテナポートに関する比例的スケーリングをしない。
【０１９９】
テーブル１：
【表６】
2021524193.tif 000030
【０２００】
例４：
例１に類似するが、目標プリコーディング指示は、ある目標アンテナポートのみが非ゼロであることを含むｒａｎｋ１のプリコーディング指示、及び、上記目標アンテナポートが非ゼロであり及びもう１つの目標アンテナポートが非ゼロであることを含むｒａｎｋ２のプリコーディング指示であるという点で相違する。
【０２０１】
ノンコードブックの上り伝送を例にとると、ネットワーク機器によって設定されるアンテナポートの数が４であり、ＳＲＩ指示は、以下のテーブル２に対応する場合、例えば、テーブルのうち、インデックス０のＳＲＳリソースのみを含むＳＲＩ、及び、インデックス０及びインデックス１のＳＲＳリソースを含むＳＲＩ指示に対応する電力制御プロセスで特定される上り送信電力に対し、アンテナポートに関する比例的スケーリングをしない。もちろん、他の例であってもよい。例えば、インデックス１のＳＲＳリソースを含むＳＲＩ、及び、インデックス１及びインデックス３のＳＲＳリソースを含むＳＲＩ指示に対応する電力制御プロセスで特定される上り送信電力に対し、アンテナポートに関する比例的スケーリングをしない。
【０２０２】
テーブル２：
【表７】
2021524193.tif 000031
【０２０３】
例５：
ノンコードブックの上り伝送を例にとると、端末が非コヒーレント伝送能力の端末であれば、目標プリコーディング指示は、ある目標アンテナポートのみが非ゼロであることを含むｒａｎｋ１のプリコーディング指示と、上記目標アンテナポートが非ゼロであり、もう１つの目標アンテナポートを含むｒａｎｋ２のプリコーディング指示である。
【０２０４】
例６：
ノンコードブックの上り伝送を例にとると、端末が部分コヒーレント伝送能力の端末であれば、目標プリコーディング指示は、ある目標アンテナポートのみが非ゼロであることを含むｒａｎｋ１のプリコーディング指示である。
【０２０５】
例７：
ノンコードブックの上り伝送を例にとると、端末が完全コヒーレント伝送能力の端末であれば、目標プリコーディング指示は、全てのプリコーディング指示であり、即ちどのＳＲＩ指示であってもアンテナポートに関する比例的スケーリングをしない。
【０２０６】
例８：
ノンコードブックの上り伝送を例にとると、端末が部分コヒーレント伝送能力の端末であれば、設定されるアンテナポートの数が４である場合、１つの非目標プリコーディング指示に対応するｒａｎｋ数が１であると、対応するアンテナポートに関するスケーリング比率は、１／２である。
【０２０７】
例９：
ノンコードブックの上り伝送を例にとると、端末が部分コヒーレント伝送能力の端末であれば、設定されるアンテナポートの数が４である場合、１つの非目標プリコーディング指示に対応するｒａｎｋ数が３であると、対応するアンテナポートに関するスケーリング比率は、１／２である。
【０２０８】
本開示の実施例に係る上り電力制御方法は、上りプリコーディング指示が目標プリコーディング指示に対応する場合、電力制御プロセスで特定される上り送信電力の値が不変であるように制御することによって、端末が低い信号対雑音比で受信したプリコーディング指示が目標プリコーディング指示である場合に最大送信電力を達成できることを保証し、上りカバレッジの性能を向上させる。例えば、端末がノンコードブックの上りＭＩＭＯ低ランク伝送を行う場合、目標プリコーディング指示に対応する上り伝送では上り最大送信電力を達成でき、非コヒーレント伝送能力又は部分コヒーレント伝送能力の端末がコードブックに基づく上りＭＩＭＯ伝送を行う場合、目標プリコーディング指示に対応する上り伝送では上り最大送信電力を達成でき、且つ端末の全てのアンテナが最大送信電力を達成できることが求められないため、コストが低減される。また、全てのプリコーディング指示に対応する上り伝送では、電力制御プロセスで特定される上り送信電力に対し、アンテナポート（１未満）に関する電力スケーリングを行うことよりも、端末が受信したプリコーディング指示が目標プリコーディング指示である場合、端末の上り送信電力がより大きく、より良い性能が得られる。
【０２０９】
以上の実施例に係る上り電力制御方法に基づいて、本開示の実施例は、端末を更に提供する。図２を参照し、該端末は、上りプリコーディング指示を取得する取得モジュール２０１と、前記上りプリコーディング指示が目標プリコーディング指示に対応する場合、電力制御プロセスで特定される上り送信電力の値が不変であるように制御する制御モジュール２０２とを含む。
【０２１０】
本開示の一部実施例によれば、前記制御モジュール２０２は、具体的には、電力制御プロセスで特定される上り送信電力をスケーリングせず、又は、電力制御プロセスで特定される上り送信電力を電力スケーリング因子１でスケーリングする。
【０２１１】
本開示の一部実施例によれば、前記制御モジュール２０２は、更に、前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする。
【０２１２】
本開示の一部実施例によれば、前記制御モジュール２０２は、更に、前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする。
【０２１３】
本開示の一部実施例によれば、前記目標プリコーディング指示は、目標コードワードに対応するＴＰＭＩ及び／又は目標コードワードに対応するＴＲＩを含む。
【０２１４】
本開示の一部実施例によれば、前記目標コードワードは、目標アンテナポートのみで非ゼロ値を有するコードワードを含む。
【０２１５】
本開示の一部実施例によれば、前記目標アンテナポートは、最も小さいインデックスのアンテナポートを含む。
【０２１６】
本開示の一部実施例によれば、前記目標プリコーディング指示は、目標ＳＲＳリソースを指示するＳＲＩを含む。
【０２１７】
本開示の一部実施例によれば、前記目標ＳＲＳリソースは、最も小さいインデックスのＳＲＳリソースを含む。
【０２１８】
本開示の一部実施例によれば、前記目標プリコーディング指示は、シングルストリーム伝送時のプリコーディング指示を含む。
【０２１９】
本開示の一部実施例によれば、前記目標プリコーディング指示は、予め定義されたプリコーディング指示であり、又は、前記目標プリコーディング指示は、ネットワーク機器から送信される前記目標プリコーディング指示の指示情報に基づいて得られる。前記端末は、ネットワーク機器から送信される前記目標プリコーディング指示の指示情報を受信し、前記指示情報に基づいて前記目標プリコーディング指示を取得する第１受信モジュールを更に含む。
【０２２０】
本開示の一部実施例によれば、前記端末は、前記目標プリコーディング指示に基づいて、物理アンテナとアンテナポートとの間のマッピング関係を特定し、前記マッピング関係に基づいて上り参照信号を送信する第４送信モジュールを更に含む。
【０２２１】
本開示の一部実施例によれば、前記制御モジュール２０２は、ネットワーク機器によって端末に設定するアンテナポートの数に基づいて、電力制御プロセスで特定される上り送信電力をスケーリングする場合、具体的には、前記プリコーディング指示と、ネットワーク機器によって端末に設定する前記端末のＰＵＳＣＨの上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得し、電力制御プロセスで特定される上り送信電力を前記第１比でスケーリングする。
【０２２２】
本開示の一部実施例によれば、前記制御モジュール２０２は、ネットワーク機器によって端末に設定するアンテナポートの数に基づいて、電力制御プロセスで特定される上り送信電力をスケーリングする場合、端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得し、電力制御プロセスで特定される上り送信電力を前記第２比でスケーリングする。
【０２２３】
本開示の一部実施例によれば、前記制御モジュール２０２は、ネットワーク機器によって端末に設定する上りサウンディング信号ＳＲＳリソース数に基づいて、電力制御プロセスで特定される上り送信電力をスケーリングする場合、ＳＲＩで指示されるＳＲＳリソース数と、ネットワーク機器によって端末に設定する前記端末のＰＵＳＣＨの上り伝送モードに対応するＳＲＳリソース数との第３比を取得し、電力制御プロセスで特定される上り送信電力を前記第３比でスケーリングする。
【０２２４】
本開示の一部実施例によれば、前記端末は、ネットワーク機器から送信されるコードブックサブセット制限情報を受信し、前記コードブックサブセット制限情報に基づいて、前記上りプリコーディング指示が目標プリコーディング指示に対応するか否かを特定する第２受信モジュールを更に含む。
【０２２５】
本開示の一部実施例によれば、異なる伝送モードでは異なる目標プリコーディング指示に対応する。
【０２２６】
本開示の実施例に係る上記端末は、上りプリコーディング指示が目標プリコーディング指示に対応する場合、電力制御プロセスで特定される上り送信電力の値が不変であるように制御することによって、端末が低い信号対雑音比で受信したプリコーディング指示が目標プリコーディング指示である場合に最大送信電力を達成できることを保証し、上りカバレッジの性能を向上させる。例えば、端末がノンコードブックの上りＭＩＭＯ低ランク伝送を行う場合、目標プリコーディング指示に対応する上り伝送では上り最大送信電力を達成でき、非コヒーレント伝送能力又は部分コヒーレント伝送能力の端末がコードブックに基づく上りＭＩＭＯ伝送を行う場合、目標プリコーディング指示に対応する上り伝送では上り最大送信電力を達成でき、且つ端末の全てのアンテナが最大送信電力を達成できることが求められないため、コストが低減される。また、全てのプリコーディング指示に対応する上り伝送では、電力制御プロセスで特定される上り送信電力に対しアンテナポート（１未満）に関する電力スケーリングを行うことよりも、端末が受信したプリコーディング指示が目標プリコーディング指示である場合、端末の上り送信電力がより大きく、より良い性能が得られる。
【０２２７】
なお、上記の上り電力制御方法の実施例におけるすべての実現方式は、該端末の実施例に適用可能であり、同様の技術効果を奏することもできる。
【０２２８】
本開示の一部実施例によれば、図３に示すように、トランシーバ３１０と、メモリ３２０と、プロセッサ３００と、ユーザインタフェース３３０と、バスインタフェースと、前記メモリ３２０に記憶されて前記プロセッサ３００で動作可能なコンピュータプログラムを含む端末を更に提供する。前記トランシーバ３１０は、上りプリコーディング指示を取得する。前記プロセッサ３００は、メモリからプログラムを読み取ることによって、前記上りプリコーディング指示が目標プリコーディング指示に対応する場合、電力制御プロセスで特定される上り送信電力の値が不変であるように制御するプロセスを実行する。
【０２２９】
ここで、図３において、バスアーキテクチャは、任意数の相互接続するバスとブリッジを含み、具体的に、プロセッサ３００をはじめとする１つ又は複数のプロセッサとメモリ３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ３１０は、複数の部品であってもよく、即ち送信機と送受信機を含み、伝送媒体でほかの各種類の装置と通信するユニットとして提供される。ユーザ端末によっては、ユーザインタフェース３３０は、必要の機器に内部接続や外部接続するためのインタフェースであってもよい。接続する機器は、キーパッド、ディスプレイ、スピーカ、マイクロフォン、ジョイスティックなどを含むが、それらに限られない。
【０２３０】
プロセッサ３００は、バスアーキテクチャと通常の処理を管理する。メモリ３２０は、プロセッサ３００による操作実行に使用されるデータを記憶できる。
【０２３１】
本開示の一部実施例によれば、前記プロセッサ３００は、具体的には、電力制御プロセスで特定される上り送信電力をスケーリングせず、又は、電力制御プロセスで特定される上り送信電力を電力スケーリング因子１でスケーリングする。
【０２３２】
本開示の一部実施例によれば、前記プロセッサ３００は、更に、前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする。
【０２３３】
本開示の一部実施例によれば、前記プロセッサ３００は、更に、前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングする。
【０２３４】
本開示の一部実施例によれば、前記目標プリコーディング指示は、目標コードワードに対応するＴＰＭＩ及び／又は目標コードワードに対応するＴＲＩを含む。
【０２３５】
本開示の一部実施例によれば、前記目標コードワードは、目標アンテナポートのみで非ゼロ値を有するコードワードを含む。
【０２３６】
本開示の一部実施例によれば、前記目標アンテナポートは、最も小さいインデックスのアンテナポートを含む。
【０２３７】
本開示の一部実施例によれば、前記目標プリコーディング指示は、目標ＳＲＳリソースを指示するＳＲＩを含む。
【０２３８】
本開示の一部実施例によれば、前記目標ＳＲＳリソースは、最も小さいインデックスのＳＲＳリソースを含む。
【０２３９】
本開示の一部実施例によれば、前記目標プリコーディング指示は、シングルストリーム伝送時のプリコーディング指示を含む。
【０２４０】
本開示の一部実施例によれば、前記目標プリコーディング指示は、予め定義されたプリコーディング指示であり、又は、前記目標プリコーディング指示は、ネットワーク機器から送信される前記目標プリコーディング指示の指示情報に基づいて得られる。前記トランシーバ３１０は、更に、ネットワーク機器から送信される前記目標プリコーディング指示の指示情報を受信する。前記プロセッサ３００は、前記指示情報に基づいて前記目標プリコーディング指示を取得する。
【０２４１】
本開示の一部実施例によれば、前記プロセッサ３００は、更に、前記目標プリコーディング指示に基づいて、物理アンテナとアンテナポートとの間のマッピング関係を特定し、前記トランシーバは、前記マッピング関係に基づいて上り参照信号を送信する。
【０２４２】
本開示の一部実施例によれば、前記プロセッサ３００は、ネットワーク機器によって端末に設定するアンテナポートの数に基づいて、電力制御プロセスで特定される上り送信電力をスケーリングする場合、具体的には、前記プリコーディング指示と、ネットワーク機器によって端末に設定する前記端末のＰＵＳＣＨの上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得し、電力制御プロセスで特定される上り送信電力を前記第１比でスケーリングする。
【０２４３】
本開示の一部実施例によれば、前記プロセッサ３００は、ネットワーク機器によって端末に設定するアンテナポートの数に基づいて、電力制御プロセスで特定される上り送信電力をスケーリングする場合、端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得し、電力制御プロセスで特定される上り送信電力を前記第２比でスケーリングする。
【０２４４】
本開示の一部実施例によれば、前記プロセッサ３００は、ネットワーク機器によって端末に設定する上りサウンディング信号ＳＲＳリソース数に基づいて、電力制御プロセスで特定される上り送信電力をスケーリングする場合、ＳＲＩで指示されるＳＲＳリソース数と、ネットワーク機器によって端末に設定する前記端末のＰＵＳＣＨの上り伝送モードに対応するＳＲＳリソース数との第３比を取得し、電力制御プロセスで特定される上り送信電力を前記第３比でスケーリングする。
【０２４５】
本開示の一部実施例によれば、前記トランシーバ３１０は、更に、ネットワーク機器から送信されるコードブックサブセット制限情報を受信し、前記プロセッサ３００は、更に、前記コードブックサブセット制限情報に基づいて、前記上りプリコーディング指示が目標プリコーディング指示に対応するか否かを特定する。
【０２４６】
本開示の一部実施例によれば、異なる伝送モードでは異なる目標プリコーディング指示に対応する。
【０２４７】
本開示の一部実施例において、コンピュータプログラムが記憶されているコンピュータ読み取り可能な記憶媒体を更に提供する。該プログラムがプロセッサによって実行されると、上記の端末側の上り電力制御方法のステップが実現される。
【０２４８】
本開示の一部実施例において、図４に示すように、ネットワーク機器に応用される上り電力制御方法を更に提供する。前記方法において、端末の上りプリコーディング指示を特定するための送信電力仮定を特定するステップ４０１と、前記送信電力仮定に基づいて、前記端末の上りプリコーディング指示を特定するステップ４０２と、前記上りプリコーディング指示を前記端末に送信するステップ４０３とを含む。
【０２４９】
本開示の実施例の上り電力制御方法において、ネットワーク機器は、端末の上りプリコーディング指示を特定するための送信電力仮定を特定し、上りプリコーディング指示を端末に送信する。それによって、端末は、上りプリコーディング指示が目標プリコーディング指示に対応する場合、電力制御プロセスで特定される上り送信電力の値が不変であるように制御する。このように、一部のプリコーディング指示で最大送信電力を達成できることを保証し、性能を向上させることができる。例えば、端末がノンコードブックの上りＭＩＭＯ低ランク伝送を行う場合、一部のプリコーディングでは上り最大送信電力を達成でき、非コヒーレント伝送能力又は部分コヒーレント伝送能力の端末がコードブックに基づく上りＭＩＭＯ低ランク伝送を行う場合、一部のプリコーディングでは上り最大送信電力を達成でき、且つ端末の全てのアンテナが最大送信電力を達成できることが求められないため、コストが低減される。
【０２５０】
ネットワーク機器は、端末の上りプリコーディング指示を特定するための送信電力仮定に基づいて、ＣＳＩ（Ｃｈａｎｎｅｌ  Ｓｔａｔｅ  Ｉｎｆｏｒｍａｔｉｏｎ）、ＴＰＭＩ、ＴＲＩ、ＭＣＳ（Ｍｏｄｕｌａｔｉｏｎ  ａｎｄ  Ｃｏｄｉｎｇ  Ｓｃｈｅｍｅ）などの上りスケジューリング情報を特定する。
【０２５１】
本開示の一部実施例によれば、ネットワーク機器は、目標プリコーディング指示に対応する目標プリコーディングについて、正規化電力１でＣＱＩ（Ｃｈａｎｎｅｌ  Ｑｕａｌｉｔｙ  Ｉｎｄｉｃａｔｏｒ）の計算を行い、他のプリコーディング指示に対応するプリコーディングについて、スケーリング（ｓｃａｌｉｎｇ）後の電力に対し正規化電力でＣＱＩの計算を行う。例えば、コードブック上り伝送の場合、目標プリコーディング指示に対応するコードワードが
【数２３】
2021524193.tif 000032
であれば、ネットワーク機器は、目標プリコーディング指示が実際に対応するコードワードが
【数２４】
2021524193.tif 000033
であることに基づいてＣＱＩを算出する。即ち、ネットワーク機器は、コードワード
【数２５】
2021524193.tif 000034
に対応する送信電力が、コードワード
【数２６】
2021524193.tif 000035
の２倍であると仮定してＣＱＩを算出する。例えば、ノンコードブック上り伝送の場合、４つのＳＲＳリソースが設定されているのであれば、目標プリコーディング指示は、ＳＲＩ＝０に対応する。すると、ネットワーク機器は、ＳＲＩ＝０に対応するＳＲＳリソースに対応するＣＱＩを算出する際に、対応するプリコーディング正規化電力が１であることに基づいてＣＱＩの計算を行い、他のＳＲＩについて、ｓｃａｌｉｎｇ後の正規化電力で算出する。例えば、ＳＲＩ＝１の場合、対応するプリコーディング正規化電力が１／４であることに基づいてＣＱＩを算出し、ＳＲＩ＝１、２の場合、対応するプリコーディング正規化総電力が１／２であることに基づいてＣＱＩを算出する。
【０２５２】
本実施例において、プリコーディングについて正規化電力が１であることに基づいてＣＱＩを算出することは、端末が受信したプリコーディング指示情報が該プリコーディングに対応するのであれば、端末が電力制御プロセスで特定される上り送信電力の値が不変であるように制御するとネットワーク機器が仮定を立て、該仮定の下でＣＱＩを算出することである。プリコーディングについて、正規化電力がスケーリング後の電力であることに基づいてＣＱＩの計算を行うことは、端末が受信したプリコーディング指示情報が該プリコーディングに対応するのであれば、端末が電力制御プロセスで特定される上り送信電力をスケーリングするとネットワーク機器が仮定を立て、該仮定の下でＣＱＩの計算を行うことである。選択可能に、端末が電力制御プロセスで特定される上り送信電力の値が不変であるように制御することは、具体的には、端末が電力制御プロセスで特定される上り送信電力をスケーリング因子１でスケーリングする。選択可能に、端末が電力制御プロセスで特定される上り送信電力の値が不変であるように制御することは、具体的には、端末が電力制御プロセスで特定される上り送信電力をスケーリングしない。
【０２５３】
本開示の実施例に言及されている目標プリコーディングは、第１目標プリコーディング、第２目標プリコーディング及び第３目標プリコーディングを含む。
【０２５４】
本開示の一部実施例によれば、目標プリコーディングは、予め定義されたプリコーディングであり、又は、目標プリコーディングは、ネットワーク機器によって設定されるプリコーディングである。
【０２５５】
本開示の一部実施例によれば、目標プリコーディングを予め定義する方式は、直接方式又は間接方式であってよい。
【０２５６】
例えば、直接的な事前定義方式の１つは、ｉｎｄｅｘ（インデックス）が０に等しいとき、それに対応するプリコーディングが目標プリコーディングであることを事前に定義する。別の直接的な事前定義方式は、プリコーディングが特定の１つ又は複数の値に対応するとき、それが目標プリコーディングであることを事前に定義する。
【０２５７】
間接的な方式として、以下が考えられる。
−１つの方式は、プリコーディングの値がいくつかの予め定義された値に対応する場合に、ネットワーク機器が、対応する送信電力仮定として、電力制御プロセスで特定される上り送信電力に対し端末がアンテナポートに関する比例的スケーリングをしないことであると特定するように予め定義する。
−１つの方式は、プリコーディングの値がいくつかの予め定義された値に対応する場合に、ネットワーク機器が、対応する送信電力仮定として、電力制御プロセスで特定される上り送信電力に対し端末がアンテナポートに関するスケーリング因子１の比例的スケーリングをすることであると特定するように予め定義する。
−１つの方式は、プリコーディングの値がいくつかの予め定義された値に対応する場合に、端末が電力制御プロセスで特定される上り送信電力を比例的にスケーリングした後の送信電力が、電力制御プロセスで特定される上り送信電力に等しくなることを予め定義する。
−１つの方式は、コードブックにおいて、アンテナポートの一部のみを使用する一部のコードワードの正規化電力を１に設定することである。この部分のコードワードに対応するプリコーディングは、目標プリコーディングに対応すると見なされる。
【０２５８】
他の方式も、列挙されないものの、本開示の範囲内に含まれるべきであることに留意されたい。
【０２５９】
本開示の一部実施例によれば、ネットワーク機器は、目標プリコーディング指示の指示情報をＲＲＣシグナリングによって端末に送信する。
【０２６０】
本開示の一部実施例によれば、目標プリコーディングは、目標コードワードに対応するプリコーディングであり、目標プリコーディングに対応する目標プリコーディング指示は、目標コードワードに対応するＴＰＭＩ（Ｔｒａｎｓｍｉｔ  Ｐｒｅｃｏｄｉｎｇ  Ｍａｔｒｉｘ  Ｉｎｄｉｃａｔｏｒ）及び／又は目標コードワードに対応するＴＲＩ（Ｔｒａｎｓｍｉｔ  Ｒａｎｋ  Ｉｎｄｉｃａｔｉｏｎ）である。
【０２６１】
たとえば、上り伝送方式がコードブックに基づく上り伝送である場合、プリコーディング指示がＤＣＩ（Ｄｏｗｎｌｉｎｋ  Ｃｏｎｔｒｏｌ  Ｉｎｆｏｒｍａｔｉｏｎ）のプリコーディング情報及びストリーム数Ｐｒｅｃｏｄｉｎｇ  ｉｎｆｏｒｍａｔｉｏｎ  ａｎｄ  ｎｕｍｂｅｒ  ｏｆ  ｌａｙｅｒｓフィールドによって指示されると、該プリコーディング指示には、該プリコーディングに対応する上り伝送に対応するＴＰＭＩ及びＴＲＩが含まれる。目標プリコーディング指示は、目標コードワードに対応するＰｒｅｃｏｄｉｎｇ  ｉｎｆｏｒｍａｔｉｏｎ  ａｎｄ  ｎｕｍｂｅｒ  ｏｆ  ｌａｙｅｒｓの値である。
【０２６２】
目標プリコーディングは、１つであってもよいし、複数であってもよい。
【０２６３】
本開示の一部実施例によれば、目標プリコーディングは、シングルストリーム伝送のコードワードに対応するプリコーディングである。
【０２６４】
本開示の一部実施例によれば、目標プリコーディングのうちの一部のプリコーディングは、シングルストリーム伝送の１つ又は複数のコードワードに対応し、一部のプリコーディングは、マルチストリーム伝送の１つ又は複数のコードワードに対応する。
【０２６５】
本開示の一部実施例によれば、目標プリコーディングは、目標コードワードに対応するプリコーディングを含む。
【０２６６】
本開示の一部実施例によれば、前記目標コードワードは、予め定義されたコードワードである。又は、前記目標コードワードは、ネットワーク機器によって設定される目標コードワードである。
【０２６７】
本開示の一部実施例によれば、前記目標コードワードは、目標アンテナポートのみで非ゼロ値を有するコードワードを含む。
【０２６８】
この場合、目標プリコーディングは、目標アンテナポートのみで非ゼロ値を有するコードワードに対応するプリコーディングを含む。目標プリコーディング指示は、目標アンテナポートのみで非ゼロ値を有するコードワードに対応するプリコーディング指示を含む。
【０２６９】
本開示の一部実施例によれば、目標プリコーディングは、目標アンテナポートのみで非ゼロ値を有する１つのコードワードに対応する１つのプリコーディングを含む。
【０２７０】
本開示の一部実施例によれば、目標プリコーディング指示は、目標アンテナポートのみで非ゼロ値を有する全てのコードワードに対応する全てのプリコーディングを含む。
【０２７１】
例えば、目標プリコーディングは、ネットワーク機器によって端末に２つのアンテナポートを設定した場合、コードブックのうち一番目のアンテナポート（インデックスの昇順）のみで非ゼロ値を有する１つのコードワードに対応する１つのプリコーディングを含む。目標プリコーディング指示は、ネットワーク機器によって端末に２つのアンテナポートを設定した場合、コードブックのうち一番目のアンテナポートのみで非ゼロ値を有する１つのコードワードに対応する１つのＴＰＭＩを含む。また例えば、目標プリコーディングは、ネットワーク機器によって端末に４つのアンテナポートを設定した場合、コードブックのうち２番目のアンテナポート（インデックスの昇順）のみで非ゼロ値を有する１つのコードワードに対応するプリコーディングを含み、目標プリコーディング指示は、ネットワーク機器によって端末に４つのアンテナポートを設定した場合、コードブックのうち２番目のアンテナポートのみで非ゼロ値を有する１つのコードワードに対応する１つのＴＰＭＩなどを含む。上記の例に限定されない。
【０２７２】
本開示の一部実施例によれば、上記目標アンテナポートは、予め定義されたアンテナポートである。又は、前記目標アンテナポートは、ネットワーク機器によって設定される目標アンテナポートである。
【０２７３】
本開示の一部実施例によれば、前記目標アンテナポートは、最も小さいインデックスのアンテナポートを含む。
【０２７４】
本開示の一部実施例によれば、前記目標アンテナポートは、最も小さいインデックスのアンテナポートである。
【０２７５】
この場合、目標プリコーディングは、最も小さいインデックスのアンテナポートのみで非ゼロ値を有するコードワードに対応するプリコーディングであり、目標プリコーディング指示は、最も小さいインデックスのアンテナポートのみで非ゼロ値を有するコードワードに対応するプリコーディング指示である。
【０２７６】
本開示の一部実施例によれば、目標プリコーディングは、目標ＳＲＳリソースに対応するプリコーディングを含み、目標プリコーディング指示は、目標ＳＲＳリソースを指示するＳＲＩを含む。
【０２７７】
例えば、ノンコードブックに基づく上り伝送の場合、プリコーディング指示は、ＳＲＩ（ＳＲＳ  ｒｅｓｏｕｒｃｅ  ｉｎｄｉｃａｔｏｒ）であり、ＰＵＳＣＨ伝送に対応するＳＲＳリソースを指示するＳＲＩは、ＤＣＩの「ＳＲＳリソース指示ＳＲＳ  ｒｅｓｏｕｒｃｅ  ｉｎｄｉｃａｔｏｒ」フィールドから取得される。端末は、ＳＲＩに基づいて上り伝送のストリーム数を同時に取得することができる。
【０２７８】
本開示の一部実施例によれば、目標プリコーディングは、（ＳＲＳリソース設定のインデックスの昇順で）一番目のＳＲＳリソースに対応するプリコーディングを含む。また例えば、目標プリコーディング指示は、（ＳＲＳリソース設定のインデックスの昇順で）先頭から２つのＳＲＳリソースに対応するプリコーディングを含む。
【０２７９】
本開示の一部実施例によれば、前記目標ＳＲＳリソースは、最も小さいインデックスのＳＲＳリソースを含む。
【０２８０】
この場合、目標プリコーディングは、最も小さいインデックスのＳＲＳリソースに対応するプリコーディングを含み、目標プリコーディング指示は、最も小さいインデックスのＳＲＳリソースを指示するＳＲＩを含む。
【０２８１】
本開示の一部実施例によれば、前記目標ＳＲＳリソースは、最も小さいインデックスのＳＲＳリソースである。
【０２８２】
本開示の一部実施例によれば、目標プリコーディングは、目標ＳＲＳリソースに対応する１つ又は複数のプリコーディングであり得る。
【０２８３】
本開示の一部実施例によれば、目標プリコーディングは、目標ＳＲＳリソースに対応する全てのプリコーディングである。
【０２８４】
本開示の一部実施例によれば、前記目標プリコーディング指示は、シングルストリーム伝送時のプリコーディング指示を含む。
【０２８５】
本開示の一部実施例によれば、目標プリコーディングは、シングルストリーム伝送時に、最も小さいインデックスのアンテナポートのみで非ゼロ値を有するコードワードに対応するプリコーディングである。
【０２８６】
本開示の一部実施例によれば、上記ステップ４０１は、仮定の端末のコヒーレント伝送能力及び上り伝送モードを特定するステップ４０１１と、前記仮定の端末のコヒーレント伝送能力及び／又は前記上り伝送モードに基づいて、前記端末の上りプリコーディング指示を特定するための送信電力仮定を特定するステップ４０１２とを含む。
【０２８７】
この場合、ネットワーク機器は、仮定の端末のコヒーレント伝送能力及び／又は上り伝送モードに基づいて、端末の上りプリコーディング指示を特定するための送信電力仮定を特定することによって、端末の上りプリコーディング指示を特定するための送信電力仮定に基づいて、上りスケジューリング情報を特定する。
【０２８８】
本開示の一部実施例によれば、前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である。
【０２８９】
ここで、異なる上り伝送モードは、異なる仮定の端末のコヒーレント伝送能力に対応する。
【０２９０】
例えば、ノンコードブックの上り伝送の場合、仮定の端末のコヒーレント伝送能力は、端末のコヒーレント伝送能力報告から得られる。コードブックに基づく伝送モードにおいて、仮定の端末のコヒーレント伝送能力は、ネットワーク機器によって端末に設定するコードブックサブセット制限に対応するコヒーレント伝送能力である。２種類の仮定の端末のコヒーレント伝送能力は、同じであってもよいし、異なっていてもよい。
【０２９１】
本開示の一部実施例によれば、仮定の端末のコヒーレント伝送能力は、端末のコヒーレント伝送能力報告から得られ、仮定の端末のコヒーレント伝送能力は、端末から報告されるコヒーレント伝送能力である。即ち、端末から報告されるコヒーレント伝送能力が非コヒーレント伝送能力であると、仮定の端末のコヒーレント伝送能力は、非コヒーレント伝送能力である。端末から報告されるコヒーレント伝送能力が部分コヒーレント伝送能力であると、仮定の端末のコヒーレント伝送能力は、部分コヒーレント伝送能力である。端末から報告されるコヒーレント伝送能力が完全コヒーレント伝送能力であると、仮定の端末のコヒーレント伝送能力は、完全コヒーレント伝送能力である。
【０２９２】
本開示の一部実施例によれば、仮定の端末のコヒーレント伝送能力は、ネットワーク機器によって端末に設定するコードブックサブセット制限に対応するコヒーレント伝送能力である。例えば、ネットワーク機器によって端末に設定するコードブックサブセット制限情報が非コヒーレント伝送に対応する場合、仮定の端末のコヒーレント伝送能力は、非コヒーレント伝送能力である（例えば３ＧＰＰ  ＮＲシステムにおいて、該端末のコードブックサブセット制限指示情報の上位層パラメータｃｏｄｅｂｏｏｋＳｕｂｓｅｔをｎｏｎＣｏｈｅｒｅｎｔに設定しようとし、又は既にｎｏｎＣｏｈｅｒｅｎｔに設定していると、ネットワーク機器によって仮定した端末コヒーレント伝送能力が非コヒーレント伝送能力である）。例えば、ネットワーク機器によって端末に設定するコードブックサブセット制限情報が部分コヒーレント伝送に対応する場合、仮定の端末のコヒーレント伝送能力は、部分コヒーレント伝送能力である（例えば３ＧＰＰ  ＮＲシステムにおいて、該端末のコードブックサブセット制限指示情報の上位層パラメータｃｏｄｅｂｏｏｋＳｕｂｓｅｔをｐａｒｔｉａｌＡｎｄＮｏｎＣｏｈｅｒｅｎｔに設定しようとし、又は既にｐａｒｔｉａｌＡｎｄＮｏｎＣｏｈｅｒｅｎｔに設定していると、ネットワーク機器によって仮定した端末コヒーレント伝送能力が部分コヒーレント伝送能力である）。例えば、ネットワーク機器によって端末に設定するコードブックサブセット制限情報が完全コヒーレント伝送に対応する場合、仮定の端末のコヒーレント伝送能力は、完全コヒーレント伝送能力である（例えば３ＧＰＰ  ＮＲシステムにおいて、該端末のコードブックサブセット制限指示情報の上位層パラメータｃｏｄｅｂｏｏｋＳｕｂｓｅｔをｆｕｌｌｙＡｎｄＰａｒｔｉａｌＡｎｄＮｏｎＣｏｈｅｒｅｎｔに設定しようとし、又は、既にｆｕｌｌｙＡｎｄＰａｒｔｉａｌＡｎｄＮｏｎＣｏｈｅｒｅｎｔに設定していると、ネットワーク機器によって仮定した端末コヒーレント伝送能力が完全コヒーレント伝送能力である）。
【０２９３】
本開示の一部実施例によれば、上記ステップ４０１２は、前記上り伝送モードにおいて第１目標プリコーディングが存在する場合、前記第１目標プリコーディングに対応する送信電力仮定として、電力制御プロセスで特定される上り送信電力の値が不変であるように前記端末は制御することであると特定するステップ４０１２１を含む。
【０２９４】
この場合、ネットワーク機器は、上り伝送モードにおいて第１目標プリコーディングが存在する場合、第１目標プリコーディングに対応する送信電力仮定として、電力制御プロセスで特定される上り送信電力の値が不変であるように端末は制御することであると特定し、即ち、第１目標プリコーディングの正規化電力スケーリング因子が１であり、又はスケーリングしない。
【０２９５】
端末は、受信した上りプリコーディング指示が第１目標プリコーディングに対応する場合、電力制御プロセスで特定される上り送信電力の値が不変であるように制御する。
【０２９６】
本開示の一部実施例によれば、上記ステップ４０１２は、前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定するステップ４０１２２を含む。
【０２９７】
この場合、ネットワーク機器は、上り伝送モードにおいて第１目標プリコーディングが存在する場合、第１目標プリコーディング以外の他のプリコーディングに対応する送信電力仮定として、電力制御プロセスで特定される上り送信電力に対し、端末に設定するアンテナポートの数又は端末に設定するＳＲＳリソース数に基づいて前記端末がアンテナポートに関するケーリングをすることであると特定する。
【０２９８】
本開示の一部実施例によれば、本ステップにおいて、前記の前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定することは、前記第１目標プリコーディング以外の他のプリコーディングに対応する送信電力仮定として、電力制御プロセスで特定される上り送信電力に対し、端末に設定するアンテナポートの数又は端末に設定する上りサウンディング信号ＳＲＳリソース数に基づいて前記端末が１未満のスケーリング因子でスケーリングすることであると特定する。
【０２９９】
端末は、受信した上りプリコーディング指示が第１目標プリコーディングのプリコーディング指示以外の他のプリコーディング指示に対応する場合、上りプリコーディング指示及びネットワークによって端末に設定するアンテナポートの数又はネットワーク機器によって端末に設定する上りサウンディング信号ＳＲＳリソース数に基づいて、電力制御プロセスで特定される上り送信電力をスケーリングする。
【０３００】
例えば、３ＧＰＰ  ＮＲシステムにおいて、コードブックに基づく上り伝送の目標プリコーディングが、シングルストリーム伝送の場合に最も小さいインデックスのアンテナポートのみで非ゼロ値を有するコードワードに対応するプリコーディングである場合、対応する電力制御プロセスで特定される上り送信電力に対し、アンテナポートの数に関する比例的スケーリングをしないプリコーディングに対応するコードワードは、端末に設定されるアンテナポートの数が２である場合に
【数２７】
2021524193.tif 000036
であり、端末に設定されるアンテナポートの数が４である場合に
【数２８】
2021524193.tif 000037
である。
【０３０１】
例えば、目標プリコーディングが、シングルストリーム伝送の場合に最も小さいインデックスのアンテナポートのみで非ゼロ値を有するコードワードに対応するプリコーディングであり、目標プリコーディング指示が、シングルストリーム伝送の場合に最も小さいインデックスのアンテナポートのみで非ゼロ値を有するコードワードに対応するプリコーディング指示であると仮定する。ネットワーク機器は、コードワード
【数２９】
2021524193.tif 000038
に対応するプリコーディングが第１目標プリコーディングに属し、それに対応する送信電力仮定として、電力制御プロセスで特定される上り送信電力が不変であるように端末は制御することであると特定する。端末は、コードワードが
【数３０】
2021524193.tif 000039
であることを指示する上りプリコーディング指示を受信し、即ちＰＵＳＣＨ設定のアンテナポートの数が２であり、コードワードのうちの一方のアンテナポートに対応する数値は、非ゼロであり、他方のアンテナポートに対応する数値は、０である。端末にとって従来の方式によれば、該コードワードに対応するＰＵＳＣＨ総送信電力が、電力制御プロセスで特定される上り送信電力の１／２である。本開示の実施例の方式によれば、該コードワードに対応するＰＵＳＣＨ総送信電力は、不変になる、電力制御プロセスで特定される上り送信電力の値である。即ち、電力制御プロセスで特定される上り送信電力をスケーリングせず、又は、電力制御プロセスで特定される上り送信電力を電力スケーリング因子１でスケーリングする。
【０３０２】
例えば、目標プリコーディング指示が、シングルストリーム伝送の場合に最も小さいインデックスのアンテナポートのみで非ゼロ値を有するコードワードに対応するプリコーディング指示であると仮定する。ネットワーク機器は、コードワード
【数３１】
2021524193.tif 000040
に対応するプリコーディングが第１目標プリコーディングに属し、それに対応する送信電力仮定として、電力制御プロセスで特定される上り送信電力が不変であるように端末は制御することであると特定する。端末は、コードワードが
【数３２】
2021524193.tif 000041
であることを指示する上りプリコーディング指示を受信する場合、即ちＰＵＳＣＨ設定のアンテナポートの数が４であり、コードワードのうちの１つのアンテナポートに対応する数値は、非ゼロであり、他のアンテナポートに対応する数値は、０である。端末にとって従来の方式によれば、該コードワードに対応するＰＵＳＣＨ総送信電力は、電力制御プロセスで特定される上り送信電力の１／４である。本開示の実施例の方式によれば、上りプリコーディング指示が目標プリコーディング指示に対応すると、該コードワードに対応するＰＵＳＣＨ総送信電力は、不変になる、電力制御プロセスで特定される上り送信電力の値である。即ち、電力制御プロセスで特定される上り送信電力をスケーリングせず、又は、電力制御プロセスで特定される上り送信電力を電力スケーリング因子１でスケーリングする。
【０３０３】
本開示の一部実施例によれば、コードブックに基づく上り伝送の場合、目標プリコーディング指示に対応するコードワードの正規化因子によって該コードワードの正規化電力を１にする。ここで、コードワードの正規化電力は、コードワードにおけるすべての位置の電力の合計を指し、即ち、コードワードにおけるすべての位置の数値の平方である。例えば、コードワード
【数３３】
2021524193.tif 000042
の正規化電力は、１／２であり、コードワード
【数３４】
2021524193.tif 000043
の正規化電力は、１である。
【０３０４】
ノンコードブックの上り伝送の場合、目標プリコーディングが最も小さいインデックスのＳＲＳリソースに対応するプリコーディングであり、例えば、目標プリコーディングが、（インデックスの昇順で）一番目のＳＲＳリソースに対応するプリコーディングであれば、ネットワーク機器は、一番目のＳＲＳリソースに対応するプリコーディングが第１目標プリコーディングに属し、それに対応する送信電力仮定として、電力制御プロセスで特定される上り送信電力の値不変であるように端末は制御することであると特定する。端末は、一番目のＳＲＳリソースのみを指示するＳＲＩを受信し、本開示の実施例の方式によれば、上りプリコーディング指示ＳＲＩは、目標プリコーディング指示に対応し、対応するＰＵＳＣＨ総送信電力は、不変になる、電力制御プロセスで特定される上り送信電力の値であり、即ち、電力制御プロセスで特定される上り送信電力をスケーリングせず、又は、電力制御プロセスで特定される上り送信電力を電力スケーリング因子１でスケーリングする。
【０３０５】
あるプリコーディングは、一番目のＳＲＳリソースのみに対応するだけではなく、又は一番目のＳＲＳリソースに対応しない場合（例えば、目標プリコーディングが１番目、２番目のＳＲＳリソースに対応し、また、例えば、目標プリコーディングが３番目のＳＲＳリソースに対応するなどの場合）、ネットワーク機器は、該プリコーディングに対応する送信電力仮定として、電力制御プロセスで特定される上り送信電力に対し端末がスケーリングした後の電力を特定する。端末がネットワーク機器から受信したＳＲＩが一番目のＳＲＳリソースのみに対応するだけではなく、又は一番目のＳＲＳリソースに対応しない場合（例えば、ＳＲＩが１番目、２番目のＳＲＳリソースに対応し、また、例えば、ＳＲＩが３番目のＳＲＳリソースに対応するなどの場合）、端末は、対応するＰＵＳＣＨ総上り送信電力を、電力制御プロセスで特定される上り送信電力をスケーリングした後の電力に特定する。
【０３０６】
本開示の一部実施例によれば、本開示の実施例の方法は、一部の特定タイプの端末のみに適用可能である。例えば、非コヒーレント伝送能力を有する端末のみに適用する。また、例えば、非コヒーレント伝送能力又は部分コヒーレント伝送能力を有する端末のみに適用する。
【０３０７】
本開示の一部実施例によれば、本開示の実施例の方法は、１つの伝送モードにおいて一部のタイプの端末に適用し、別の伝送モードにおいて別のタイプの端末に適用する。例えば、コードブック伝送モードにおいて、コヒーレント伝送能力又は部分コヒーレント伝送能力を有する端末に適用し、ノンコードブック伝送モードにおいてすべての端末に適用する。
【０３０８】
本開示の一部実施例によれば、異なるコヒーレント伝送能力の端末は、異なる目標プリコーディングに対応することができる。
【０３０９】
本開示の一部実施例によれば、同一端末は、異なる伝送モードにおいて、異なる目標プリコーディングに対応する。
【０３１０】
一実施例として、Ｎ個のアンテナポートの設定では、目標プリコーディングの値は、複数であってもよい。例えば、ノンコードブック伝送モードでの目標プリコーディングの数は、２であり、目標プリコーディングは、（インデックスの昇順で）１番目のＳＲＳリソースに対応するプリコーディング、及び、１番目及び２番目のＳＲＳアンテナリソースに対応するプリコーディングである。即ち、プリコーディングに対応するＳＲＳリソースが１番目のＳＲＳリソースである場合、又はプリコーディングに対応するＳＲＳリソースが１番目と２番目のＳＲＳリソースである場合、ネットワーク機器は、該プリコーディングに対応する送信電力仮定として、電力制御プロセスで特定される上り送信電力が不変であるように端末は制御し、アンテナポートに関するスケーリングをしないことであると特定する。プリコーディングに対応するＳＲＳリソースが他のＳＲＳリソースである場合、例えば、プリコーディングが２番目のＳＲＳリソースに対応したり、他のＳＲＳリソースに対応したりする場合、該プリコーディングに対応する送信電力仮定として、電力制御プロセスで特定される上り送信電力に対し端末がアンテナポートに関する比例的スケーリングをした後の送信電力をネットワーク機器は特定する。
【０３１１】
本開示の一部実施例によれば、上記ステップ４０１２は、ステップ４０１２３及び／又はステップ４０１２４を含む。
【０３１２】
ステップ４０１２３において、前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定する。
【０３１３】
この場合、ネットワーク機器が仮定した端末のコヒーレント伝送能力が非コヒーレント伝送能力である場合、上り伝送モードにおける第２目標プリコーディングに対応する送信電力仮定として、電力制御プロセスで特定される上り送信電力の値が不変であるように端末は制御することであると特定し、即ち、第２目標プリコーディングの正規化電力スケーリング因子が１であり、又はスケーリングしない。非コヒーレント伝送能力の端末は、受信した上りプリコーディング指示が第２目標プリコーディング指示に対応すると、電力制御プロセスで特定される上り送信電力の値が不変であるように制御する。
【０３１４】
ステップ４０１２４において、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定する。
【０３１５】
この場合、仮定の端末のコヒーレント伝送能力が部分コヒーレント伝送能力である場合、上り伝送モードにおける第３目標プリコーディングに対応する送信電力仮定として、電力制御プロセスで特定される上り送信電力の値が不変であるように端末は制御することであると特定し、即ち、第３目標プリコーディングの正規化電力スケーリング因子が１であり、又はスケーリングしない。端末は、受信した上りプリコーディング指示が第３目標プリコーディング指示に対応すると、電力制御プロセスで特定される上り送信電力の値が不変であるように制御する。
【０３１６】
ここで、異なる上り伝送モードは、異なる第２目標プリコーディング及び／又は第３目標プリコーディングに対応する。
【０３１７】
本開示の一部実施例によれば、前記上り伝送モードがノンコードブック上り伝送であり、前記仮定の端末のコヒーレント伝送能力が非コヒーレント伝送であり、上記ステップ４０１２は、前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定するステップ４０１２５を更に含む。
【０３１８】
ここで、他のプリコーディングにおける、非ゼロのＰＵＳＣＨ伝送電力を有するアンテナポートの数をＱｕｓｅｄ１とし、ネットワーク機器によって端末に設定する端末のＰＵＳＣＨの上り伝送モードに対応するアンテナポートの数をＱｃｏｎｆｉｇｕｒｅｄ１とすると、第１比ｋ１は、
【数３５】
2021524193.tif 000044
である。ネットワーク機器は、ノンコードブック上り伝送に対し、仮定の端末のコヒーレント伝送能力が非コヒーレント伝送能力であると、第２目標プリコーディング以外の他のプリコーディングに対応する送信電力仮定として、電力制御プロセスで特定される上り送信電力を端末が第１比Ｋ１に基づいてスケーリングすることであると特定する。端末が受信した上りプリコーディング指示は第２目標プリコーディング指示以外の他のプリコーディング指示に対応すると、電力制御プロセスで特定される上り送信電力を端末が第１比Ｋ１に基づいてスケーリングする。
【０３１９】
本開示の一部実施例によれば、前記上り伝送モードがノンコードブック上り伝送であり、前記仮定の端末のコヒーレント伝送能力が部分コヒーレント伝送であり、上記ステップ４０１２は、第３目標プリコーディング以外の第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定するステップを更に含む。
【０３２０】
ここで、他のプリコーディングにおける、非ゼロのＰＵＳＣＨ伝送電力を有するアンテナポートの数をＱｕｓｅｄ１とし、ネットワーク機器によって端末に設定する端末のＰＵＳＣＨの上り伝送モードに対応するアンテナポートの数をＱｃｏｎｆｉｇｕｒｅｄ１とすると、第１比Ｋ１は、
【数３６】
2021524193.tif 000045
である。ネットワーク機器は、ノンコードブック上り伝送に対し、仮定の端末のコヒーレント伝送能力が部分コヒーレント伝送能力であると、第３目標プリコーディング以外の第１ストリーム数のストリーム伝送に対応する他のプリコーディングに対応する送信電力仮定として、電力制御プロセスで特定される上り送信電力を端末が第１比Ｋ１に基づいてスケーリングすることであると特定する。端末が受信した上りプリコーディング指示は第３目標プリコーディング指示以外の、第１ストリーム数のストリーム伝送に対応する他のプリコーディング指示に対応すると、電力制御プロセスで特定される上り送信電力を端末が第１比Ｋ１に基づいてスケーリングする。
【０３２１】
ここで、第１ストリーム数は、シングスストリームであってもよいし、２ストリーム、３ストリーム、４ストリームなどのマルチストリームであってもよい。
【０３２２】
本開示の一部実施例によれば、前記上り伝送モードがノンコードブック上り伝送であり、前記仮定の端末のコヒーレント伝送能力が部分コヒーレント伝送であり、上記ステップ４０１２は、第３目標プリコーディング以外の、シングルストリーム伝送に対応する他のプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定するステップを更に含む。
【０３２３】
ここで、端末にサポートされるコヒーレント伝送可能な最大アンテナポートの数をＱｍａｘとし、ネットワーク機器によって端末に設定する端末のＰＵＳＣＨの上り伝送モードに対応するアンテナポートの数をＱｃｏｎｆｉｇｕｒｅｄ１とすると、第２比Ｋ２は、
【数３７】
2021524193.tif 000046
である。ネットワーク機器は、ノンコードブック上り伝送に対し、仮定の端末のコヒーレント伝送能力が部分コヒーレント伝送能力であると、第３目標プリコーディング以外の、シングルストリーム数のストリーム伝送に対応する他のプリコーディングに対応する送信電力仮定として、電力制御プロセスで特定される上り送信電力を端末が第２比Ｋ２に基づいてスケーリングすることであると特定する。端末が受信した上りプリコーディング指示が第３目標プリコーディング指示以外の、シングルストリーム数のストリーム伝送に対応する他のプリコーディング指示に対応すると、電力制御プロセスで特定される上り送信電力を端末が第２比Ｋ２に基づいてスケーリングする。
【０３２４】
この場合、ネットワーク機器は、ノンコードブック上り伝送に対し、仮定の端末のコヒーレント伝送能力が部分コヒーレント伝送であると、目標プリコーディング指示以外の、マルチストリーム（例えば２ストリーム、３ストリーム又は４ストリーム）伝送の他のプリコーディングに対応する送信電力仮定として、電力制御プロセスで特定される上り送信電力を端末が第１比Ｋ１に基づいてスケーリングすることであると特定する。
【０３２５】
もちろん、ネットワーク機器は、ノンコードブック上り伝送に対し、仮定の端末のコヒーレント伝送能力が部分コヒーレント伝送であると、目標プリコーディング指示以外の、マルチストリーム（例えば２ストリーム、３ストリーム又は４ストリーム）伝送の他のプリコーディングに対応する送信電力仮定として、電力制御プロセスで特定される上り送信電力を端末が第２比Ｋ２に基づいてスケーリングすることであると特定してもよい。
【０３２６】
本開示の一部実施例によれば、前記上り伝送モードがノンコードブック上り伝送であり、上記ステップ４０１２は、シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定するステップを含む。
【０３２７】
ここで、端末にサポートされるコヒーレント伝送可能な最大アンテナポートの数をＱｍａｘとし、ネットワーク機器によって端末に設定する端末のＰＵＳＣＨの上り伝送モードに対応するアンテナポートの数をＱｃｏｎｆｉｇｕｒｅｄ１とすると、第２比Ｋ２は、
【数３８】
2021524193.tif 000047
である。ネットワーク機器は、ノンコードブック上り伝送に対し、シングルストリーム数のストリーム伝送に対応するプリコーディングに対応する送信電力仮定として、電力制御プロセスで特定される上り送信電力を端末が第２比Ｋ２に基づいてスケーリングすることであると特定する。端末が受信した上りプリコーディング指示がシングルストリーム数のストリーム伝送のプリコーディング指示に対応すると、電力制御プロセスで特定される上り送信電力を端末が第２比Ｋ２に基づいてスケーリングする。
【０３２８】
本開示の一部実施例によれば、前記上り伝送モードがノンコードブック上り伝送であり、前記仮定の端末のコヒーレント伝送能力が完全コヒーレント伝送であり、上記ステップ４０１２は、任意のプリコーディングに対応する送信電力仮定として、電力制御プロセスで特定される上り送信電力の値が不変であるように前記端末は制御することであると特定するステップを含む。
【０３２９】
この場合、ノンコードブックの上り伝送に対し、仮定の端末のコヒーレント伝送能力が完全コヒーレント伝送であると、ネットワーク機器は、任意のプリコーディングに対応する送信電力仮定として、電力制御プロセスで特定される上り送信電力の値が不変であるように前記端末は制御することであると特定する。端末は、任意のプリコーディング指示を受信し、電力制御プロセスで特定される上り送信電力の値が不変であるように制御する。
【０３３０】
本開示の一部実施例によれば、前記方法は、前記第１目標プリコーディングを指示するための指示情報を前記端末に送信することを更に含む。
【０３３１】
この場合、目標プリコーディング指示がシグナリングによって通知される場合、上り伝送モードにおいて第１目標プリコーディングが存在すると、ネットワーク機器は、第１目標プリコーディングを指示するための指示情報を端末に送信することによって、端末は、指示情報に基づいて第１目標プリコーディングの指示を取得し得、受信した上りプリコーディング指示が第１目標プリコーディング指示に対応する場合、電力制御プロセスで特定される上り送信電力の値が不変であるように制御し、即ちすべてのプリコーディングの正規化電力スケーリング因子が１であり、又はスケーリングしない。
【０３３２】
本開示の一部実施例によれば、前記方法は、前記第２目標プリコーディング及び／又は前記第３目標プリコーディングを指示するための指示情報を前記端末に送信することを更に含む。
【０３３３】
この場合、目標プリコーディング指示がシグナリングによって通知される場合、上り伝送モードにおいて第２目標プリコーディングが存在すると、ネットワーク機器は、第２目標プリコーディングを指示するための指示情報を端末に送信することによって、端末は、指示情報に基づいて第２目標プリコーディング指示を取得し得、受信した上りプリコーディング指示が第２目標プリコーディング指示に対応する場合、電力制御プロセスで特定される上り送信電力の値が不変であるように制御する。同様に、目標プリコーディング指示がシグナリングによって通知される場合、上り伝送モードにおいて第３目標プリコーディングが存在すると、ネットワーク機器は、第３目標プリコーディングを指示するための指示情報を端末に送信することによって、端末は、指示情報に基づいて第３目標プリコーディング指示を取得し得、受信した上りプリコーディング指示が第３目標プリコーディング指示に対応する場合、電力制御プロセスで特定される上り送信電力の値が不変であるように制御する。
【０３３４】
以下、本開示の実施例のいくつかの可能な実現方式を説明する。
【０３３５】
例１：
端末の伝送モードがコードブックに基づく上り伝送モードである場合、目標プリコーディング指示は、ＴＰＭＩの値がｉｎｄｅｘ０であるプリコーディング指示に対応する。目標プリコーディングは、対応するＴＰＭＩの値がｉｎｄｅｘ０であるプリコーディング（コードワード）である。端末に送信するプリコーディング指示が目標プリコーディングに対応する目標プリコーディング指示であることがネットワーク機器によって仮定されると、端末は、電力制御プロセスで特定される上り送信電力をスケーリングしない。端末に送信するプリコーディング指示が目標プリコーディングに対応する目標プリコーディング指示ではないことがネットワーク機器によって仮定されると、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づく上り伝送の伝送モードに対応するアンテナポートの数との比である。端末が受信したプリコーディング指示が目標プリコーディング指示である場合、端末は、電力制御プロセスで特定される上り送信電力をスケーリングしない。端末が受信したプリコーディング指示が目標プリコーディング指示でない場合、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づく上り伝送の伝送モードに対応するアンテナポートの数との比である。
【０３３６】
例２：
端末の伝送モードがコードブックに基づかない上り伝送モードである場合、目標プリコーディング指示は、ＳＲＩ  ｉｎｄｅｘが０であるプリコーディング指示（ＳＲＩ＝０）に対応する。目標プリコーディングは、ＳＲＩ＝０に対応するＳＲＳリソースに対応するプリコーディングである。端末に送信するプリコーディング指示が目標プリコーディングに対応するプリコーディング指示であることがネットワーク機器によって仮定されると、端末は、電力制御プロセスで特定される上り送信電力をスケーリングしない。端末に送信するプリコーディング指示が目標プリコーディングに対応する目標プリコーディング指示ではないことがネットワーク機器によって仮定されると、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。端末が受信したプリコーディング指示が目標プリコーディング指示である場合、端末は、電力制御プロセスで特定される上り送信電力をスケーリングしない。端末が受信したプリコーディング指示が目標プリコーディング指示でない場合、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。
【０３３７】
例３：
端末の伝送モードがコードブックに基づかない上り伝送モードである場合、端末のコヒーレント伝送能力は、非コヒーレント伝送である。目標プリコーディング指示は、ＳＲＩ  ｉｎｄｅｘが０であるプリコーディング指示（ＳＲＩ＝０）に対応する。目標プリコーディングは、ＳＲＩ＝０に対応するＳＲＳリソースに対応するプリコーディングである。端末に送信するプリコーディング指示が目標プリコーディングに対応するプリコーディング指示であることがネットワーク機器によって仮定されると、端末は、電力制御プロセスで特定される上り送信電力をスケーリングしない。端末に送信するプリコーディング指示が目標プリコーディングに対応する目標プリコーディング指示ではないことがネットワーク機器によって仮定されると、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。端末が受信したプリコーディング指示が目標プリコーディング指示である場合、端末は、電力制御プロセスで特定される上り送信電力をスケーリングしない。端末が受信したプリコーディング指示が目標プリコーディング指示でない場合、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。
【０３３８】
例４：
端末の伝送モードがコードブックに基づかない上り伝送モードである場合、端末のコヒーレント伝送能力は、部分コヒーレント伝送である。目標プリコーディング指示は、ＳＲＩ  ｉｎｄｅｘが０であるプリコーディング指示（ＳＲＩ＝０）に対応する。目標プリコーディングは、ＳＲＩ＝０に対応するＳＲＳリソース（又は一番目のＳＲＳリソース）に対応するプリコーディングである。端末に送信するプリコーディング指示が目標プリコーディングに対応するプリコーディング指示であることがネットワーク機器によって仮定されると、端末は、電力制御プロセスで特定される上り送信電力をスケーリングしない。端末に送信するプリコーディング指示が目標プリコーディングに対応する目標プリコーディング指示ではないことがネットワーク機器によって仮定されると、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。端末が受信したプリコーディング指示が目標プリコーディング指示である場合、端末は、電力制御プロセスで特定される上り送信電力をスケーリングしない。端末が受信したプリコーディング指示が目標プリコーディング指示でない場合、端末は、電力制御プロセスで特定される上り送信電力をスケーリングし、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。
【０３３９】
例５：
端末の伝送モードがコードブックに基づかない上り伝送モードである場合、端末のコヒーレント伝送能力は、部分コヒーレント伝送である。目標プリコーディング指示は、ＳＲＩ  ｉｎｄｅｘが０であるプリコーディング指示（ＳＲＩ＝０）に対応する。目標プリコーディングは、ＳＲＩ＝０に対応するＳＲＳリソース（又は一番目のＳＲＳリソース）に対応するプリコーディングである。端末に送信するプリコーディング指示が目標プリコーディングに対応するプリコーディング指示であることがネットワーク機器によって仮定されると、端末は、電力制御プロセスで特定される上り送信電力をスケーリングしない。端末に送信するプリコーディング指示が目標プリコーディングに対応する目標プリコーディング指示ではないことがネットワーク機器によって仮定されると、端末は、電力制御プロセスで特定される上り送信電力をスケーリングする。端末に送信するプリコーディング指示がシングルストリームに対応する場合、スケーリング比率は、該端末のコヒーレント伝送可能な最大アンテナポートの数（例えば３ＧＰＰ  ＮＲシステムにおけるコヒーレント伝送能力の定義に基づき、部分コヒーレント伝送時に、端末のコヒーレント伝送可能な最大アンテナポートの数は、２であると見なされる）と、ネットワーク機器によって端末に設定するコードブックに基づかない上り伝送の伝送モードに対応するアンテナポートの数との比である。そうでない場合、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。端末が受信したプリコーディング指示が目標プリコーディング指示である場合、端末は、電力制御プロセスで特定される上り送信電力をスケーリングしない。端末が受信したプリコーディング指示が目標プリコーディング指示でない場合、端末は、電力制御プロセスで特定される上り送信電力をスケーリングする。端末に送信するプリコーディング指示がシングルストリームに対応する場合、スケーリング比率は、該端末のコヒーレント伝送可能な最大アンテナポートの数（例えば３ＧＰＰ  ＮＲシステムにおけるコヒーレント伝送能力の定義に基づき、部分コヒーレント伝送時に、端末のコヒーレント伝送可能な最大アンテナポートの数は、２であると見なされる）と、ネットワーク機器によって端末に設定するコードブックに基づかない上り伝送の伝送モードに対応するアンテナポートの数との比である。そうでない場合、スケーリング比率は、該プリコーディング指示に対応するコードワードに対応する非ゼロ電力のアンテナポートの数と、ネットワーク機器によって端末に設定するコードブックに基づかない上り伝送の伝送モードに対応するアンテナポートの数との比である。
【０３４０】
例６：
端末の伝送モードがコードブックに基づかない上り伝送モードである場合、端末のコヒーレント伝送能力は、部分コヒーレント伝送である。目標プリコーディング指示は、ＳＲＩ  ｉｎｄｅｘが０であるプリコーディング指示（ＳＲＩ＝０）に対応する。目標プリコーディングは、ＳＲＩ＝０に対応するＳＲＳリソース（又は一番目のＳＲＳリソース）に対応するプリコーディングである。端末に送信するプリコーディング指示が目標プリコーディングに対応するプリコーディング指示であることがネットワーク機器によって仮定されると、端末は、電力制御プロセスで特定される上り送信電力をスケーリングしない。端末に送信するプリコーディング指示が目標プリコーディングに対応する目標プリコーディング指示ではないことがネットワーク機器によって仮定されると、端末は、電力制御プロセスで特定される上り送信電力をスケーリングする。スケーリング比率は、該端末のコヒーレント伝送可能な最大アンテナポートの数（例えば３ＧＰＰ  ＮＲシステムにおけるコヒーレント伝送能力の定義に基づき、部分コヒーレント伝送時に、端末のコヒーレント伝送可能な最大アンテナポートの数は、２であると見なされる）と、ネットワーク機器によって端末に設定するコードブックに基づかない上り伝送の伝送モードに対応するアンテナポートの数との比である。端末が受信したプリコーディング指示が目標プリコーディング指示である場合、端末は、電力制御プロセスで特定される上り送信電力をスケーリングしない。端末が受信したプリコーディング指示が目標プリコーディング指示でない場合、端末は、電力制御プロセスで特定される上り送信電力をスケーリングする。スケーリング比率は、該端末のコヒーレント伝送可能な最大アンテナポートの数（例えば３ＧＰＰ  ＮＲシステムにおけるコヒーレント伝送能力の定義に基づき、部分コヒーレント伝送時に、端末のコヒーレント伝送可能な最大アンテナポートの数は、２であると見なされる）と、ネットワーク機器によって端末に設定するコードブックに基づかない上り伝送の伝送モードに対応するアンテナポートの数との比である。
【０３４１】
例７：
端末の伝送モードがコードブックに基づかない上り伝送モードである場合、端末のコヒーレント伝送能力は、部分コヒーレント伝送である。目標プリコーディングが存在せず、目標プリコーディング指示も存在しない。ネットワーク機器は、電力制御プロセスで特定される上り送信電力を端末がスケーリングすると仮定し、スケーリング比率は、該端末のコヒーレント伝送可能な最大アンテナポートの数（例えば３ＧＰＰ  ＮＲシステムにおけるコヒーレント伝送能力の定義に基づき、部分コヒーレント伝送時に、端末のコヒーレント伝送可能な最大アンテナポートの数は、２であると見なされる）と、ネットワーク機器によって端末に設定するコードブックに基づかない上り伝送の伝送モードに対応するアンテナポートの数との比である。端末は、どのようなプリコーディング指示を受信したかに関わらず、電力制御プロセスで特定される上り送信電力をスケーリングする。スケーリング比率は、該端末のコヒーレント伝送可能な最大アンテナポートの数（例えば３ＧＰＰ  ＮＲシステムにおけるコヒーレント伝送能力の定義に基づき、部分コヒーレント伝送時に、端末のコヒーレント伝送可能な最大アンテナポートの数は、２であると見なされる）と、ネットワーク機器によって端末に設定するコードブックに基づかない上り伝送の伝送モードに対応するアンテナポートの数との比である。
【０３４２】
例８：
端末の伝送モードがコードブックに基づかない上り伝送モードである場合、端末のコヒーレント伝送能力は、完全コヒーレント伝送である。目標プリコーディングが存在せず、目標プリコーディング指示も存在しない。ネットワーク機器は、電力制御プロセスで特定される上り送信電力を端末がスケーリングしないと仮定する。端末は、どのようなプリコーディング指示を受信したかに関わらず、電力制御プロセスで特定される上り送信電力をスケーリングしない。
【０３４３】
本開示の実施例に係る上り電力制御方法において、ネットワーク機器は、端末の上りプリコーディング指示を特定するための送信電力仮定を特定し、上りプリコーディング指示を端末に送信する。それによって、端末は、上りプリコーディング指示が目標プリコーディング指示に対応する場合、電力制御プロセスで特定される上り送信電力の値が不変であるように制御する。このように、一部のプリコーディング指示で最大送信電力を達成できることを保証し、性能を向上させることができる。例えば、端末がノンコードブックの上りＭＩＭＯ低ランク伝送を行う場合、一部のプリコーディングでは上り最大送信電力を達成でき、非コヒーレント伝送能力又は部分コヒーレント伝送能力の端末がコードブックに基づく上りＭＩＭＯ低ランク伝送を行う場合、一部のプリコーディングでは上り最大送信電力を達成でき、且つ端末の全てのアンテナが最大送信電力を達成できることが求められないため、コストが低減される。
【０３４４】
上記実施例に係る上り電力制御方法に基づいて、本開示の実施例は、ネットワーク機器を更に提供する。図５に示すように、該ネットワーク機器は、端末の上りプリコーディング指示を特定するための送信電力仮定を特定する第１特定モジュール５０１と、前記送信電力仮定に基づいて、前記端末の上りプリコーディング指示を特定する第２特定モジュール５０２と、前記上りプリコーディング指示を前記端末に送信する第１送信モジュール５０３とを含む。
【０３４５】
本開示の実施例に係るネットワーク機器は、端末の上りプリコーディング指示を特定するための送信電力仮定を特定し、上りプリコーディング指示を端末に送信する。それによって、端末は、上りプリコーディング指示が目標プリコーディング指示に対応する場合、電力制御プロセスで特定される上り送信電力の値が不変であるように制御する。このように、一部のプリコーディング指示で最大送信電力を達成できることを保証し、性能を向上させることができる。例えば、端末がノンコードブックの上りＭＩＭＯ低ランク伝送を行う場合、一部のプリコーディングでは上り最大送信電力を達成でき、非コヒーレント伝送能力又は部分コヒーレント伝送能力の端末がコードブックに基づく上りＭＩＭＯ低ランク伝送を行う場合、一部のプリコーディングでは上り最大送信電力を達成でき、且つ端末の全てのアンテナが最大送信電力を達成できることが求められないため、コストが低減される。
【０３４６】
本開示の一部実施例によれば、第１特定モジュール５０１は、仮定の端末のコヒーレント伝送能力及び上り伝送モードを特定する第１特定サブモジュールと、前記仮定の端末のコヒーレント伝送能力及び／又は前記上り伝送モードに基づいて、前記端末の上りプリコーディング指示を特定するための送信電力仮定を特定する第２特定サブモジュールとを含む。
【０３４７】
本開示の一部実施例によれば、前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である。
【０３４８】
本開示の一部実施例によれば、異なる上り伝送モードは、異なる仮定の端末コヒーレント伝送能力に対応する。
【０３４９】
本開示の一部実施例によれば、前記第２特定サブモジュールは、前記上り伝送モードにおいて第１目標プリコーディングが存在する場合、前記第１目標プリコーディングに対応する送信電力仮定として、電力制御プロセスで特定される上り送信電力の値が不変であるように制御することであると前記端末は特定する第１特定ユニットを含む。
【０３５０】
本開示の一部実施例によれば、前記第２特定サブモジュールは、前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定する第２特定ユニットを更に含む。
【０３５１】
本開示の一部実施例によれば、前記第２特定サブモジュールは、前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定する第３特定ユニット、及び／又は、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定する第４特定ユニットを含む。
【０３５２】
本開示の一部実施例によれば、前記上り伝送モードがノンコードブック上り伝送であり、前記仮定の端末のコヒーレント伝送能力が非コヒーレント伝送であり、前記第２特定サブモジュールは、前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する第５特定ユニットを更に含む。
【０３５３】
本開示の一部実施例によれば、前記上り伝送モードがノンコードブック上り伝送であり、前記仮定の端末のコヒーレント伝送能力が部分コヒーレント伝送であり、前記第２特定サブモジュールは、第３目標プリコーディング以外の、第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する第６特定ユニットを更に含む。
【０３５４】
本開示の一部実施例によれば、前記上り伝送モードがノンコードブック上り伝送であり、前記仮定の端末のコヒーレント伝送能力が部分コヒーレント伝送であり、前記第２特定サブモジュールは、第３目標プリコーディング以外の、シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する第７特定ユニットを更に含む。
【０３５５】
本開示の一部実施例によれば、前記上り伝送モードがノンコードブック上り伝送であり、前記仮定の端末のコヒーレント伝送能力が部分コヒーレント伝送であり、前記第２特定サブモジュールは、シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する第８特定ユニットを更に含む。
【０３５６】
本開示の一部実施例によれば、前記上り伝送モードがノンコードブック上り伝送であり、前記仮定の端末のコヒーレント伝送能力が完全コヒーレント伝送であり、前記第２特定サブモジュールは、任意のプリコーディングに対応する送信電力仮定として、電力制御プロセスで特定される上り送信電力の値が不変であるように前記端末は制御することであると特定する第９特定ユニットを更に含む。
【０３５７】
本開示の一部実施例によれば、更に、前記第１目標プリコーディングを指示するための指示情報を前記端末に送信する第２送信モジュールを含む。
【０３５８】
本開示の一部実施例によれば、更に、前記第２目標プリコーディング及び／又は前記第３目標プリコーディングを指示するための指示情報を前記端末に送信する第３送信モジュールを含む。
【０３５９】
本開示の実施例に係るネットワーク機器は、端末の上りプリコーディング指示を特定するための送信電力仮定を特定し、上りプリコーディング指示を端末に送信する。それによって、端末は、上りプリコーディング指示が目標プリコーディング指示に対応する場合、電力制御プロセスで特定される上り送信電力の値が不変であるように制御する。このように、一部のプリコーディング指示で最大送信電力を達成できることを保証し、性能を向上させることができる。例えば、端末がノンコードブックの上りＭＩＭＯ低ランク伝送を行う場合、一部のプリコーディングでは上り最大送信電力を達成でき、非コヒーレント伝送能力又は部分コヒーレント伝送能力の端末がコードブックに基づく上りＭＩＭＯ低ランク伝送を行う場合、一部のプリコーディングでは上り最大送信電力を達成でき、且つ端末の全てのアンテナが最大送信電力を達成できることが求められないため、コストが低減される。
【０３６０】
なお、上記上り電力制御方法の実施例におけるすべての実施形態は、該ネットワーク機器の実施例に適用可能であり、同様の技術効果を奏することもできる。
【０３６１】
本開示の一部実施例によれば、図６に示すように、トランシーバ６１０と、メモリ６２０と、プロセッサ６００と、バスインタフェースと、前記メモリ６２０に記憶されて前記プロセッサ６００で動作可能なコンピュータプログラムを含むネットワーク機器を更に提供する。前記プロセッサ６００は、メモリからプログラムを読み取ることによって、端末の上りプリコーディング指示を特定するための送信電力仮定を特定するプロセスと、前記送信電力仮定に基づいて、前記端末の上りプリコーディング指示を特定するプロセスとを実行する。前記トランシーバ６１０は、前記上りプリコーディング指示を前記端末に送信する。
【０３６２】
本開示の実施例に係るネットワーク機器は、端末の上りプリコーディング指示を特定するための送信電力仮定を特定し、上りプリコーディング指示を端末に送信する。それによって、端末は、上りプリコーディング指示が目標プリコーディング指示に対応する場合、電力制御プロセスで特定される上り送信電力の値が不変であるように制御する。このように、一部のプリコーディング指示で最大送信電力を達成できることを保証し、性能を向上させることができる。例えば、端末がノンコードブックの上りＭＩＭＯ低ランク伝送を行う場合、一部のプリコーディングでは上り最大送信電力を達成でき、非コヒーレント伝送能力又は部分コヒーレント伝送能力の端末がコードブックに基づく上りＭＩＭＯ低ランク伝送を行う場合、一部のプリコーディングでは上り最大送信電力を達成でき、且つ端末の全てのアンテナが最大送信電力を達成できることが求められないため、コストが低減される。
【０３６３】
ここで、図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットを提供する。プロセッサ６００は、バスアーキテクチャと通常の処理を管理する。メモリ６２０は、プロセッサ６００による操作実行に使用されるデータを記憶できる。
【０３６４】
本開示の一部実施例によれば、前記プロセッサ６００は、更に、仮定の端末のコヒーレント伝送能力及び上り伝送モードを特定し、前記仮定の端末のコヒーレント伝送能力及び／又は前記上り伝送モードに基づいて、前記端末の上りプリコーディング指示を特定するための送信電力仮定を特定する。
【０３６５】
本開示の一部実施例によれば、前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である。
【０３６６】
本開示の一部実施例によれば、前記プロセッサ６００は、更に、前記上り伝送モードにおいて第１目標プリコーディングが存在する場合、前記第１目標プリコーディングに対応する送信電力仮定として、電力制御プロセスで特定される上り送信電力の値が不変であるように前記端末は制御することであると特定する。
【０３６７】
本開示の一部実施例によれば、前記プロセッサ６００は、更に、前記第１目標プリコーディング以外の他のプリコーディングに対応する送信電力仮定として、電力制御プロセスで特定される上り送信電力を、端末に設定するアンテナポートの数又は端末に設定する上りサウンディング信号ＳＲＳリソース数に基づいて前記端末がスケーリングすることであると特定する。
【０３６８】
本開示の一部実施例によれば、前記プロセッサ６００は、更に、前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定し、及び／又は、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定する。
【０３６９】
本開示の一部実施例によれば、前記上り伝送モードがノンコードブック上り伝送であり、前記仮定の端末のコヒーレント伝送能力が非コヒーレント伝送であり、前記プロセッサ６００は、更に、前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する。
【０３７０】
本開示の一部実施例によれば、前記上り伝送モードがノンコードブック上り伝送であり、前記仮定の端末のコヒーレント伝送能力が部分コヒーレント伝送であり、前記プロセッサ６００は、更に、第３目標プリコーディング以外の、第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定する。
【０３７１】
本開示の一部実施例によれば、前記上り伝送モードがノンコードブック上り伝送であり、前記仮定の端末のコヒーレント伝送能力が部分コヒーレント伝送であり、前記プロセッサ６００は、更に、第３目標プリコーディング以外の、シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する。
【０３７２】
本開示の一部実施例によれば、前記上り伝送モードがノンコードブック上り伝送であり、前記仮定の端末のコヒーレント伝送能力が部分コヒーレント伝送であり、前記プロセッサ６００は、更に、シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定する。
【０３７３】
本開示の一部実施例によれば、前記上り伝送モードがノンコードブック上り伝送であり、前記仮定の端末のコヒーレント伝送能力が完全コヒーレント伝送であり、前記プロセッサ６００は、更に、任意のプリコーディングに対応する送信電力仮定として、電力制御プロセスで特定される上り送信電力の値が不変であるように前記端末は制御することであると特定する。
【０３７４】
本開示の一部実施例によれば、前記トランシーバ６１０は、更に、前記第１目標プリコーディングを指示するための指示情報を前記端末に送信する。
【０３７５】
本開示の一部実施例によれば、前記トランシーバ６１０は、更に、前記第２目標プリコーディング及び／又は前記第３目標プリコーディングを指示するための指示情報を前記端末に送信する。
【０３７６】
本開示の一部実施例によれば、コンピュータプログラムが記憶されているコンピュータ読み取り可能な記憶媒体を更に提供する。該プログラムがプロセッサによって実行されると、上記のネットワーク機器側の上り電力制御方法のステップが実現される。
【０３７７】
本開示の各実施例において、上記各プロセスの番号の大きさは、実行順の前後を意味するのではなく、各プロセスの実行順は、その機能及び内在的な論理によって確定されるものであり、本開示の実施例の実施プロセスに対し一切限定を構成しないと理解すべきである。
【０３７８】
なお、本発明における上り伝送は、特定の信号の上り伝送であり、例えば、ＰＵＳＣＨ信号の伝送や、ＰＵＣＣＨ信号の伝送などである。それに対応して、ＰＵＳＣＨの伝送である場合、「電力制御プロセスで特定される上り送信電力」は、ＰＵＳＣＨの電力制御プロセスで特定されるＰＵＳＣＨの上り送信電力である。
【０３７９】
以上記載されたのは、本開示の好適な実施例である。当業者は、本開示に記載されている原理を逸脱せずに様々な改良や修飾をすることもできる。これらの改良や修飾も、本開示の保護範囲として見なされるべきである。
【図１】
2021524193.tif 000048
【図２】
2021524193.tif 000049
【図３】
2021524193.tif 000050
【図４】
2021524193.tif 000051
【図５】
2021524193.tif 000052
【図６】
2021524193.tif 000053
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
端末に応用される上り電力制御方法であって、
上りプリコーディング指示を取得することと、
前記上りプリコーディング指示が目標プリコーディング指示に対応する場合、電力制御プロセスで特定される上り送信電力の値が不変であるように制御することとを含む、上り電力制御方法。
【請求項２】
前記の電力制御プロセスで特定される上り送信電力の値が不変であるように制御することは、
電力制御プロセスで特定される上り送信電力をスケーリングしないこと、又は、電力制御プロセスで特定される上り送信電力を電力スケーリング因子１でスケーリングすることを含む、請求項１に記載の方法。
【請求項３】
前記の上りプリコーディング指示を取得することの後に、
前記上りプリコーディング指示が前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳ（Ｓｏｕｎｄｉｎｇ  Ｒｅｆｅｒｅｎｃｅ  Ｓｉｇｎａｌ）リソース数に基づいて、電力制御プロセスで特定される上り送信電力をスケーリングすること、又は、
前記上りプリコーディング指示が第１ストリーム数のストリーム伝送に対応し且つ前記目標プリコーディング指示以外の他のプリコーディング指示に対応する場合、ネットワーク機器によって端末に設定するアンテナポートの数、又はネットワーク機器によって端末に設定する上りサウンディング信号ＳＲＳリソース数に基づいて、電力制御プロセスで特定される上り送信電力をスケーリングすることを更に含む、請求項１に記載の方法。
【請求項４】
前記目標プリコーディング指示は、目標コードワードに対応するＴＰＭＩ（Ｔｒａｎｓｍｉｔ  Ｐｒｅｃｏｄｉｎｇ  Ｍａｔｒｉｘ  Ｉｎｄｉｃａｔｏｒ）及び／又は目標コードワードに対応するＴＲＩ（Ｔｒａｎｓｍｉｔ  Ｒａｎｋ  Ｉｎｄｉｃａｔｉｏｎ）を含み、前記目標コードワードは、プリコーディング行列であり、
又は、
前記目標プリコーディング指示は、目標ＳＲＳリソースを指示するＳＲＩ（ＳＲＳ  ｒｅｓｏｕｒｃｅ  ｉｎｄｉｃａｔｏｒ）を含む、請求項１に記載の方法。
【請求項５】
前記目標プリコーディング指示は、シングルストリーム伝送時のプリコーディング指示を含む、請求項４に記載の方法。
【請求項６】
前記目標プリコーディング指示は、予め定義されたプリコーディング指示であり、又は、前記目標プリコーディング指示は、ネットワーク機器から送信される前記目標プリコーディング指示の指示情報に基づいて得られ、
ネットワーク機器から送信される前記目標プリコーディング指示の指示情報を受信し、前記指示情報に基づいて前記目標プリコーディング指示を取得することを更に含む、請求項１に記載の方法。
【請求項７】
ネットワーク機器によって端末に設定するアンテナポートの数に基づいて、電力制御プロセスで特定される上り送信電力をスケーリングすることは、
前記プリコーディング指示と、ネットワーク機器によって端末に設定する前記端末のＰＵＳＣＨ（Ｐｈｙｓｉｃａｌ  Ｕｐｌｉｎｋ  Ｓｈａｒｅｄ  Ｃｈａｎｎｅｌ）の上り伝送モードに対応するアンテナポートの数とから、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比を取得することと、
電力制御プロセスで特定される上り送信電力を前記第１比でスケーリングすることとを含み、
又は、
ネットワーク機器によって端末に設定するアンテナポートの数に基づいて、電力制御プロセスで特定される上り送信電力をスケーリングすることは、
端末にサポートされるコヒーレント伝送可能な最大アンテナポートの数と、ネットワーク機器によって端末に設定する前記端末のＰＵＳＣＨの上り伝送モードに対応するアンテナポートの数との第２比を取得することと、
電力制御プロセスで特定される上り送信電力を前記第２比でスケーリングすることとを含み、
又は、
ネットワーク機器によって端末に設定する上りサウンディング信号ＳＲＳリソース数に基づいて、電力制御プロセスで特定される上り送信電力をスケーリングすることは、
ＳＲＩで指示されるＳＲＳリソース数と、ネットワーク機器によって端末に設定する前記端末のＰＵＳＣＨの上り伝送モードに対応するＳＲＳリソース数との第３比を取得することと、
電力制御プロセスで特定される上り送信電力を前記第３比でスケーリングすることとを含む、請求項３に記載の方法。
【請求項８】
ネットワーク機器から送信されるコードブックサブセット制限情報を受信することと、
前記コードブックサブセット制限情報に基づいて、前記上りプリコーディング指示が目標プリコーディング指示に対応するか否かを特定することとを更に含む、請求項１〜７のいずれか一項に記載の方法。
【請求項９】
上りプリコーディング指示を取得する取得モジュールと、
前記上りプリコーディング指示が目標プリコーディング指示に対応する場合、電力制御プロセスで特定される上り送信電力の値が不変であるように制御する制御モジュールとを含む、端末。
【請求項１０】
ネットワーク機器に応用される上り電力制御方法であって、
端末の上りプリコーディング指示を特定するための送信電力仮定を特定することと、
前記送信電力仮定に基づいて、前記端末の上りプリコーディング指示を特定することと、
前記上りプリコーディング指示を前記端末に送信することとを含む、上り電力制御方法。
【請求項１１】
前記の端末の上りプリコーディング指示を特定するための送信電力仮定を特定することは、
仮定の端末のコヒーレント伝送能力及び上り伝送モードを特定することと、
前記仮定の端末のコヒーレント伝送能力及び／又は前記上り伝送モードに基づいて、前記端末の上りプリコーディング指示を特定するための送信電力仮定を特定することとを含む、請求項１０に記載の方法。
【請求項１２】
前記仮定の端末のコヒーレント伝送能力は、端末のコヒーレント伝送能力報告から得られる端末コヒーレント伝送能力であり、又は、前記仮定の端末のコヒーレント伝送能力は、端末に設定するコードブックサブセット制限に対応するコヒーレント伝送能力である、請求項１１に記載の方法。
【請求項１３】
前記の前記仮定の端末のコヒーレント伝送能力及び／又は前記上り伝送モードに基づいて、前記端末の上りプリコーディング指示を特定するための送信電力仮定を特定することは、
前記上り伝送モードにおいて第１目標プリコーディングが存在する場合、前記第１目標プリコーディングに対応する送信電力仮定として、電力制御プロセスで特定される上り送信電力の値が不変であるように前記端末は制御することであると特定することを含み、
又は、
前記の前記仮定の端末のコヒーレント伝送能力及び／又は前記上り伝送モードに基づいて、前記端末の上りプリコーディング指示を特定するための送信電力仮定を特定することは、
前記仮定の端末のコヒーレント伝送能力が非コヒーレント伝送である場合、前記上り伝送モードにおける第２目標プリコーディングに対応する送信電力仮定として、電力制御プロセスで特定される上り送信電力の値が不変であるように前記端末は制御することであると特定すること、及び／又は、前記仮定の端末のコヒーレント伝送能力が部分コヒーレント伝送である場合、前記上り伝送モードにおける第３目標プリコーディングに対応する送信電力仮定として、電力制御プロセスで特定される上り送信電力の値が不変であるように前記端末は制御することであると特定することを含む、請求項１１に記載の方法。
【請求項１４】
前記上り伝送モードがノンコードブック上り伝送であり、前記仮定の端末のコヒーレント伝送能力が非コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
前記第２目標プリコーディング以外の他のプリコーディングに対応する前記送信電力仮定として、電力制御プロセスで特定される上り送信電力を、前記他のプリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定することを更に含み、
又は、
前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
第３目標プリコーディング以外の第１ストリーム数のストリーム伝送に対応するプリコーディングに対応する送信電力仮定として、電力制御プロセスで特定される上り送信電力を、前記プリコーディングにおける、非ゼロのＰＵＳＣＨ伝送電力を有するアンテナポートの数と、ネットワーク機器によって端末に設定する前記端末のＰＵＳＣＨの上り伝送モードに対応するアンテナポートの数との第１比で前記端末がスケーリングすることであると特定することを更に含み、
又は、
前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
前記第３目標プリコーディング以外のシングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定することを更に含む、請求項１３に記載の方法。
【請求項１５】
前記上り伝送モードがノンコードブック上り伝送であり、前記仮定の端末のコヒーレント伝送能力が部分コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
シングルストリーム伝送に対応するプリコーディングに対応する送信電力仮定として、電力制御プロセスで特定される上り送信電力を、前記端末にサポートされるコヒーレント伝送可能な最大アンテナポートの数と、ネットワーク機器によって端末に設定する前記端末のＰＵＳＣＨの上り伝送モードに対応するアンテナポートの数との第２比で前記端末がスケーリングすることであると特定することを含み、
又は、
前記上り伝送モードがノンコードブック上り伝送であり、前記仮定の端末のコヒーレント伝送能力が完全コヒーレント伝送であり、
前記の前記仮定の端末のコヒーレント伝送能力及び／又は前記上り伝送モードに基づいて、前記端末の上りプリコーディング指示を特定するための送信電力仮定を特定することは、
任意のプリコーディングに対応する送信電力仮定として、電力制御プロセスで特定される上り送信電力の値が不変であるように前記端末は制御することであると特定することを含む、請求項１１に記載の方法。
【請求項１６】
端末の上りプリコーディング指示を特定するための送信電力仮定を特定する第１特定モジュールと、
前記送信電力仮定に基づいて、前記端末の上りプリコーディング指示を特定する第２特定モジュールと、
前記上りプリコーディング指示を前記端末に送信する第１送信モジュールとを含む、ネットワーク機器。
【国際調査報告】
2021524193.tif 000054
2021524193.tif 000055
2021524193.tif 000056
2021524193.tif 000057